(57)【要約】【課題】印刷後のテープを貼り付ける際に、セパレータを剥がす手間を省くことができるテープカセットを提供する。【解決手段】セパレータ巻き取りスプール６２には、両面粘着スプール５６に巻回された両面粘着テープ５３の最外周から剥離されたセパレータ５３Ｄの先端部が固着され、テープ送りローラ６３と同期して回転駆動される該セパレータ巻き取りスプール６２に巻き取られる。また、両面粘着テープ５３からセパレータ５３Ｄが剥離されたセパレータ無し両面粘着テープ１１２は、テープ送りローラ６３によって引き出されて、テープ送りローラ６３とテープサブローラ１１との間を通過し、フィルムテープ５１の印刷面に圧着される。その後、印刷済みテープ２８は、粘着層５３Ｃに接触する接触コロ６５と、該接触コロ６５に対向する案内壁３３とによって案内されて、テープ排出口２７から排出される。【選択図】図１７
2010099886.tif 000002
【特許請求の範囲】
【請求項１】
長尺状のテープを搬送するためのテープ搬送手段と、前記テープに印刷する印刷手段と、を備えたテープ印刷装置に着脱可能に装着されるテープカセットにおいて、
被印刷テープが巻回されて回転可能に設けられるテープスプールと、
一面がセパレータで覆われて前記被印刷テープの印刷された一方の面に貼着される両面粘着テープが前記セパレータを外側にして巻回されて回転可能に設けられる両面粘着スプールと、
前記両面粘着スプールに巻回されている両面粘着テープの最外周から剥離された前記セパレータの先端部が固着されると共に、該セパレータが巻き取られるセパレータ巻き取りスプールと、
前記テープ印刷装置のテープサブローラと協働して前記テープスプールに巻回される被印刷テープと前記両面粘着スプールに巻回されて前記セパレータが剥離された両面粘着テープとを引き出して搬送すると共に、該被印刷テープに該両面粘着テープを圧着するテープ送りローラと、
前記両面粘着テープが圧着された前記被印刷テープを外部に排出するテープ排出口と、
前記テープ排出口に回転可能に設けられて前記両面粘着テープに接触して前記被印刷テープをテープ搬送方向下流側へ案内する接触コロと、
前記接触コロに対して前記被印刷テープを挟んで対向する案内壁と、
を備えたことを特徴とするテープカセット。
【請求項２】
前記テープ送りローラによって前記被印刷テープに圧着された前記両面粘着テープと該テープ送りローラとの間に設けられて該両面粘着テープに接触する接触部材を備えたことを特徴とする請求項１に記載のテープカセット。
【請求項３】
前記接触コロは、前記テープ排出口よりもテープ搬送方向外側に突出するように設けられていることを特徴とする請求項１又は請求項２に記載のテープカセット。
【請求項４】
前記接触コロは、前記両面粘着テープに接触する外周面が、軸方向に平行な複数の凸状形状に形成されていることを特徴とする請求項１乃至請求項３のいずれかに記載のテープカセット。
【請求項５】
前記接触コロは、
回転可能に支持される軸部と、
前記軸部の外周面から半径方向外側に延出されて円板状に形成された前記両面粘着テープに接触するリブ部と、
を有し、
前記テープ送りローラは、外周面の前記リブ部に対向する位置に形成された溝部を有し、
前記溝部の幅は前記リブ部の厚さよりも大きくなるように形成されると共に、該接触コロは、該リブ部が該溝部に入り込むように配設されていることを特徴とする請求項１に記載のテープカセット。
【請求項６】
前記セパレータ巻取スプールは、前記両面粘着スプールと前記テープスプールとの間に配設されていることを特徴とする請求項１乃至請求項５のいずれかに記載のテープカセット。
【請求項７】
長尺状のテープを搬送するためのテープ搬送手段と、前記テープに印刷する印刷手段と、を備えたテープ印刷装置に着脱可能に装着されるテープカセットにおいて、
一方の面に粘着剤が塗布されてセパレータが貼り合わされた被印刷テープが、前記セパレータを外側にして巻回されて回転可能に設けられるテープスプールと、
前記テープスプールに巻回されている被印刷テープの最外周から剥離された前記セパレータの先端部が固着されると共に、該セパレータが巻き取られるセパレータ巻き取りスプールと、
前記印刷手段よりもテープ搬送方向下流側に位置して前記被印刷テープの該印刷手段を介して印刷される他方の面に接触するように配設されて、前記テープ印刷装置のテープサブローラと協働して前記テープスプールから前記セパレータが剥離された前記被印刷テープを引き出して搬送するテープ送りローラと、
前記被印刷テープを外部に排出するテープ排出口と、
前記テープ排出口に回転可能に設けられて前記被印刷テープの粘着剤に接触して該被印刷テープをテープ搬送方向下流側へ案内する接触コロと、
前記接触コロに対して前記被印刷テープを挟んで対向する案内壁と、
を備えたことを特徴とするテープカセット。
【請求項８】
一面側に粘着剤が塗布された透明テープが前記一面側を内側にして巻回されて回転可能に設けられる透明テープスプールを備え、
前記テープ送りローラは、前記テープ印刷装置のテープサブローラと協働して前記透明テープスプールに巻回される透明テープと前記テープスプールに巻回されて前記セパレータが剥離された前記被印刷テープとを引き出して、該被印刷テープの前記印刷手段を介して他方の面に印刷された印刷面に該透明テープの前記一面側を圧着することを特徴とする請求項７に記載のテープカセット。
【請求項９】
前記セパレータ巻取スプールは、前記透明テープスプールと前記テープスプールとの間に配設されていることを特徴とする請求項８に記載のテープカセット。
【請求項１０】
前記接触コロのテープ搬送方向上流側近傍位置に設けられて前記被印刷テープの粘着剤に接触して該被印刷テープをテープ搬送方向下流側へ案内する案内部材を備えたことを特徴とする請求項７乃至請求項９のいずれかに記載のテープカセット。
【請求項１１】
前記接触コロは、前記被印刷テープの粘着剤に接触する外周面が、軸方向に平行な複数の凸状形状に形成されていることを特徴とする請求項７乃至請求項１０のいずれかに記載のテープカセット。
【発明の詳細な説明】
【技術分野】
【０００１】
本発明は、テープ印刷装置に使用されるテープカセットに関するものである。
【背景技術】
【０００２】
従来より、テープ印刷装置に使用されるテープカセットに関して種々提案されている。
例えば、印字用テープとインクリボンとが収納されており、テープスプールに巻回されたレセプタタイプの印字用テープは、４つのコロに案内されて放出部から印字部を経て搬送される。また、リボンスプールに巻回されたインクリボンは、検出経路を経て放出部及び印字部において、印字用テープと略平行に添設され、リボン巻取りスプールに巻き取られるように構成されたテープカセットがある（例えば、特許文献１参照。）。
【特許文献１】特開平７−６８８１４号公報（段落（００１０）〜（００１８）、図２）
【発明の開示】
【発明が解決しようとする課題】
【０００３】
ここで、上述した特許文献１に記載されるテープカセットでは、印字用テープはインクリボンと対向する表面に印刷され、印字用テープの裏面側には粘着剤層が予め塗布され、この粘着剤層にセパレータが貼り付けられている。
しかしながら、セパレータは薄い剥離紙やフィルムテープ等で構成されるため、印刷後の印字用テープを貼り付ける際に、このセパレータを剥がすのに手間がかかるという問題がある。
【０００４】
そこで、本発明は、上述した問題点を解決するためになされたものであり、印刷後のテープを貼り付ける際に、セパレータを剥がす手間を省くことができるテープカセットを提供することを目的とする。
【課題を解決するための手段】
【０００５】
前記目的を達成するため請求項１に係るテープカセットは、長尺状のテープを搬送するためのテープ搬送手段と、前記テープに印刷する印刷手段と、を備えたテープ印刷装置に着脱可能に装着されるテープカセットにおいて、被印刷テープが巻回されて回転可能に設けられるテープスプールと、一面がセパレータで覆われて前記被印刷テープの印刷された一方の面に貼着される両面粘着テープが前記セパレータを外側にして巻回されて回転可能に設けられる両面粘着スプールと、前記両面粘着スプールに巻回されている両面粘着テープの最外周から剥離された前記セパレータの先端部が固着されると共に、該セパレータが巻き取られるセパレータ巻き取りスプールと、前記テープ印刷装置のテープサブローラと協働して前記テープスプールに巻回される被印刷テープと前記両面粘着スプールに巻回されて前記セパレータが剥離された両面粘着テープとを引き出して搬送すると共に、該被印刷テープに該両面粘着テープを圧着するテープ送りローラと、前記両面粘着テープが圧着された前記被印刷テープを外部に排出するテープ排出口と、前記テープ排出口に回転可能に設けられて前記両面粘着テープに接触して前記被印刷テープをテープ搬送方向下流側へ案内する接触コロと、前記接触コロに対して前記被印刷テープを挟んで対向する案内壁と、を備えたことを特徴とする。
【０００６】
また、請求項２に係るテープカセットは、請求項１に記載のテープカセットにおいて、前記テープ送りローラによって前記被印刷テープに圧着された前記両面粘着テープと該テープ送りローラとの間に設けられて該両面粘着テープに接触する接触部材を備えたことを特徴とする。
【０００７】
また、請求項３に係るテープカセットは、請求項１又は請求項２に記載のテープカセットにおいて、前記接触コロは、前記テープ排出口よりもテープ搬送方向外側に突出するように設けられていることを特徴とする。
【０００８】
また、請求項４に係るテープカセットは、請求項１乃至請求項３のいずれかに記載のテープカセットにおいて、前記接触コロは、前記両面粘着テープに接触する外周面が、軸方向に平行な複数の凸状形状に形成されていることを特徴とする。
【０００９】
また、請求項５に係るテープカセットは、請求項１に記載のテープカセットにおいて、前記接触コロは、回転可能に支持される軸部と、前記軸部の外周面から半径方向外側に延出されて円板状に形成された前記両面粘着テープに接触するリブ部と、を有し、前記テープ送りローラは、外周面の前記リブ部に対向する位置に形成された溝部を有し、前記溝部の幅は前記リブ部の厚さよりも大きくなるように形成されると共に、該接触コロは、該リブ部が該溝部に入り込むように配設されていることを特徴とする。
【００１０】
また、請求項６に係るテープカセットは、請求項１乃至請求項５のいずれかに記載のテープカセットにおいて、前記セパレータ巻取スプールは、前記両面粘着スプールと前記テープスプールとの間に配設されていることを特徴とする。
【００１１】
また、請求項７に係るテープカセットは、長尺状のテープを搬送するためのテープ搬送手段と、前記テープに印刷する印刷手段と、を備えたテープ印刷装置に着脱可能に装着されるテープカセットにおいて、一方の面に粘着剤が塗布されてセパレータが貼り合わされた被印刷テープが、前記セパレータを外側にして巻回されて回転可能に設けられるテープスプールと、前記テープスプールに巻回されている被印刷テープの最外周から剥離された前記セパレータの先端部が固着されると共に、該セパレータが巻き取られるセパレータ巻き取りスプールと、前記印刷手段よりもテープ搬送方向下流側に位置して前記被印刷テープの該印刷手段を介して印刷される他方の面に接触するように配設されて、前記テープ印刷装置のテープサブローラと協働して前記テープスプールから前記セパレータが剥離された前記被印刷テープを引き出して搬送するテープ送りローラと、前記被印刷テープを外部に排出するテープ排出口と、前記テープ排出口に回転可能に設けられて前記被印刷テープの粘着剤に接触して該被印刷テープをテープ搬送方向下流側へ案内する接触コロと、前記接触コロに対して前記被印刷テープを挟んで対向する案内壁と、を備えたことを特徴とする。
【００１２】
また、請求項８に係るテープカセットは、請求項７に記載のテープカセットにおいて、一面側に粘着剤が塗布された透明テープが前記一面側を内側にして巻回されて回転可能に設けられる透明テープスプールを備え、前記テープ送りローラは、前記テープ印刷装置のテープサブローラと協働して前記透明テープスプールに巻回される透明テープと前記テープスプールに巻回されて前記セパレータが剥離された前記被印刷テープとを引き出して、該被印刷テープの前記印刷手段を介して他方の面に印刷された印刷面に該透明テープの前記一面側を圧着することを特徴とする。
【００１３】
また、請求項９に係るテープカセットは、請求項８に記載のテープカセットにおいて、前記セパレータ巻取スプールは、前記透明テープスプールと前記テープスプールとの間に配設されていることを特徴とする。
【００１４】
また、請求項１０に係るテープカセットは、請求項７乃至請求項９のいずれかに記載のテープカセットにおいて、前記接触コロのテープ搬送方向上流側近傍位置に設けられて前記被印刷テープの粘着剤に接触して該被印刷テープをテープ搬送方向下流側へ案内する案内部材を備えたことを特徴とする。
【００１５】
更に、請求項１１に係るテープカセットは、請求項７乃至請求項１０のいずれかに記載のテープカセットにおいて、前記接触コロは、前記被印刷テープの粘着剤に接触する外周面が、軸方向に平行な複数の凸状形状に形成されていることを特徴とする。
【発明の効果】
【００１６】
請求項１に係るテープカセットでは、両面粘着テープは、テープ送りローラとテープサブローラとによって、セパレータが剥離された状態で引き出されて、被印刷テープの印刷された一方の面に圧着されて搬送されることとなる。これにより、印刷後の被印刷テープを商品等に貼り付ける際に、セパレータを剥がす手間を省くことができる。
【００１７】
また、セパレータは、両面粘着スプールに巻回されている両面粘着テープの最外周から剥離されてセパレータ巻き取りスプールに巻き取られるため、剥離したセパレータをテープカセット内に収納することが可能となり、ユーザは両面粘着テープから剥離したセパレータを廃棄する手間を省くことができる。
また、両面粘着テープが圧着されてセパレータが剥離された被印刷テープは、テープ排出口に回転可能に設けられて両面粘着テープに接触する接触コロと案内壁とに挟まれて搬送されるため、被印刷テープがセパレータ側に撓んでテープ排出口で詰まることを防止して、当該被印刷テープをテープ排出口から外部へスムーズに排出することが可能となる。
【００１８】
また、請求項２に係るテープカセットでは、接触部材によって両面粘着テープが圧着された被印刷テープを外側方向に押さえつつ案内することが可能となり、該被印刷テープのテープ送りローラ側への撓みを防止してスムーズに接触コロへ案内することが可能となる。
【００１９】
また、請求項３に係るテープカセットでは、接触コロをテープ排出口よりもテープ搬送方向外側に突出するように設けることによって、この接触コロの外径を大きくすることが可能となる。これにより、接触コロの組付け作業を容易に行うことが可能になるとともに、被印刷テープがテープ排出口で詰まることをより確実に防止することが可能となる。
【００２０】
また、請求項４に係るテープカセットでは、接触コロは、両面粘着テープに接触する外周面が、軸方向に平行な複数の凸状形状に形成されているため、接触コロと両面粘着テープとの接触面積を小さくすることが可能となる。これにより、接触コロの外周面が両面粘着テープからスムーズに離れることが可能となり、被印刷テープをテープ排出口から外部へ更にスムーズに排出することが可能となる。
【００２１】
また、請求項５に係るテープカセットでは、接触コロは、外周面に形成された円板状のリブ部が、テープ送りローラの外周面に形成された溝部に入り込むように配設されるため、接触コロをテープ送りローラに更に近接させて設けることが可能となる。これにより、テープ排出口をテープ送りローラに更に近接させて設けることが可能となり、被印刷テープがテープ排出口で詰まることをより確実に防止することが可能となる。
【００２２】
また、請求項６に係るテープカセットでは、セパレータ巻き取りスプールは、両面粘着スプールとテープスプールとの間に配設されているため、テープ印刷装置によるテープ印刷が行われることによってセパレータ巻き取りスプールに巻回可能なセパレータの最大巻回長さを容易に大きくすることができ、テープカセットの小型化を図ることが可能となる。また、両面粘着テープから剥離したセパレータを短い引き出し距離でセパレータ巻き取りスプールに巻回することが可能となり、テープカセットの更なる小型化を図ることが可能となる。
【００２３】
また、請求項７に係るテープカセットでは、一方の面に粘着剤が塗布されてセパレータが貼り合わされた被印刷テープは、テープ送りローラとテープサブローラとによって、テープスプールからセパレータが剥離された状態で引き出されて、印刷手段を介して他方の面に印刷され、テープ排出口から排出される。これにより、印刷後の被印刷テープを商品等に貼り付ける際に、セパレータを剥がす手間を省くことができる。
【００２４】
また、セパレータは、テープスプールに巻回されている被印刷テープの最外周から剥離されてセパレータ巻き取りスプールに巻き取られるため、剥離したセパレータをテープカセット内に収納することが可能となり、ユーザは被印刷テープから剥離したセパレータを廃棄する手間を省くことができる。
また、セパレータが剥離された被印刷テープは、テープ排出口に回転可能に設けられて被印刷テープの粘着剤に接触する接触コロと案内壁とに挟まれて搬送されるため、被印刷テープがテープ送りローラ側に撓んでテープ排出口で詰まることを防止して、当該被印刷テープをテープ排出口から外部へスムーズに排出することが可能となる。
【００２５】
また、請求項８に係るテープカセットでは、被印刷テープの印刷面に透明テープを貼着することが可能となり、印刷面の耐摩擦性や耐薬品性等を向上させることが可能となる。
【００２６】
また、請求項９に係るテープカセットでは、セパレータ巻き取りスプールは、透明テープスプールとテープスプールとの間に配設されているため、テープ印刷装置によるテープ印刷が行われることによってセパレータ巻き取りスプールに巻回可能なセパレータの最大巻回長さを容易に大きくすることができ、テープカセットの小型化を図ることが可能となる。また、被印刷テープから剥離したセパレータを短い引き出し距離でセパレータ巻き取りスプールに巻回することが可能となり、テープカセットの更なる小型化を図ることが可能となる。
【００２７】
また、請求項１０に係るテープカセットでは、案内部材によって被印刷テープをテープカセットの内側方向に押さえつつ案内することが可能となり、該被印刷テープの外側方向への撓みを防止してスムーズに接触コロへ案内することが可能となる。
【００２８】
更に、請求項１１に係るテープカセットでは、接触コロは、被印刷テープの粘着剤に接触する外周面が、軸方向に平行な複数の凸状形状に形成されているため、接触コロと被印刷テープの粘着剤との接触面積を小さくすることが可能となる。これにより、接触コロの外周面が被印刷テープの粘着剤からスムーズに離れることが可能となり、被印刷テープをテープ排出口から外部へ更にスムーズに排出することが可能となる。
【発明を実施するための最良の形態】
【００２９】
以下、本発明に係るテープカセットについて具体化した第１実施形態乃至第１２実施形態に基づいて図面を参照しつつ詳細に説明する。
【００３０】
［第１実施形態］
先ず、第１実施形態に係るテープカセットが装着されるテープ印刷装置の概略構成について図１乃至図３に基づき説明する。
図１は第１実施形態に係るテープ印刷装置１の平面図である。図２はテープ印刷装置１の右側面図である。図３はテープ印刷装置１のカセット収納部８にテープカセット２１を装着する状態を示す要部拡大斜視図である。
【００３１】
図１乃至図３に示すように、第１実施形態に係るテープ印刷装置１には、文書データからなるテキストを作成するための文字入力キー２、テキスト等の印刷を指示する印刷キー３、及び、改行指示や各種処理の実行、選択を指示するリターンキー４、文字等のキャラクタを複数行に渡って表示する液晶ディスプレイ（ＬＣＤ）７上でカーソルを上下、左右に移動させるカーソルキー５等を設けたキーボード６、及び、テープカセット２１を収納するカセット収納部８が収納カバー１３で覆われて配設されている。
【００３２】
また、このキーボード６の下側には、制御回路部が構成される制御基板１２が配設されている。また、カセット収納部８の左側面部には、印刷されて後述のようにセパレータが剥離されたテープが排出されるラベル排出口１７が形成されている。また、該カセット収納部８の右側面部には、電源アダプタが取り付けられるアダプタ挿入口１８、及び不図示のパーソナルコンピュータと接続するためのＵＳＢケーブルが取り付けられるＵＳＢコネクタ１９が設けられている。
【００３３】
また、このカセット収納部８には、サーマルヘッド９と、このサーマルヘッド９に対向するプラテンローラ１０と、このプラテンローラ１０の下流側のテープサブローラ１１と、このテープサブローラ１１に対向する金属製のテープ駆動ローラ軸１４と、テープカセット２１内に収納されるインクリボン５２（図４参照）を送るリボン巻取軸１５が配置されている他に、更に後述のように両面粘着テープ５３（図４参照）から剥離されたセパレータ５３Ｄ（図４参照）を巻き取るセパレータ巻取軸１６等が配置されている。
【００３４】
このサーマルヘッド９は、正面視略縦長四角形の平板状で、前面の左端縁部には、所定個数の各発熱素子Ｒ1〜Ｒn（ｎは、例えば、１２８個又は２５６個である。）が、該左端縁部の辺に沿って一列に配列されて形成されている。また、該サーマルヘッド９は、メッキ鋼板やステンレス鋼板等により形成される正面視略四角形の放熱板９Ａの前面の左端縁部に、各発熱素子Ｒ1〜Ｒnの配列方向が、該放熱板９Ａの左端縁部の辺に平行になるように接着剤などによって固着されている。そして、該放熱板９Ａは、各発熱素子Ｒ1〜Ｒnの配列方向が、テープカセット２１の開口部２２におけるフィルムテープ５１（図４参照）の搬送方向に略直交するように、ビス止め等によってカセット収納部８の下側に取り付けられている。
【００３５】
また、リボン巻取軸１５は、ステッピングモータ等により構成される不図示のテープ送りモータから適宜の駆動機構を介して回転駆動され、後述のようにテープカセット２１内に回転可能に設けられたリボン巻き取りスプール６１（図４参照）内に嵌入されて回転駆動する。また、テープ駆動ローラ軸１４は、テープ送りモータから適宜の伝達機構を介して回転駆動され、後述のようにテープカセット２１内に回転可能に設けられた導電性樹脂製のテープ送りローラ６３（図４参照）内に嵌入されて回転駆動する。また、セパレータ巻取軸１６は、テープ送りモータから適宜の伝達機構を介して回転駆動され、後述のようにテープカセット２１内に回転可能に設けられたセパレータ巻き取りスプール６２（図４参照）内に嵌入されて回転駆動する。
【００３６】
尚、セパレータ巻取軸１６をテープ送りモータとは別個に設けられたステッピングモータ等により構成される不図示のセパレータ巻取モータから適宜の駆動機構を介して回転駆動するように構成してもよい。これにより、インクリボン５２とセパレータ５３Ｄの伸び率等が大きく異なっても該セパレータ５３Ｄを安定して巻き取ることが可能となる。
【００３７】
また、図３に示すように、テープカセット２１のテープ排出口２７（図４参照）の近傍には、テープ送りローラ６３の外周面に沿ってセパレータ５３Ｄ（図７参照）が剥離された印刷済みテープ２８を所定の長さに切断し、セパレータ５３Ｄが剥離された両面粘着テープ付きラベルを生成する切断装置としてのはさみ式カッタユニット３０が配置されている。このカッタユニット３０は、固定刃３０Ａと、不図示の切断用モータによって固定刃３０Ａに対して作動して印刷済みテープ２８を切断する可動刃３０Ｂとから構成されている。
【００３８】
また、カセット収納部８の底面部には、２つの位置決めピン４５、４６が、同一高さ寸法に立設されている。そして、テープカセット２１をカセット収納部８に装着した際には、テープカセット２１は、各位置決めピン４５、４６によってカセット収納部８内で適正に位置決めがされる。
【００３９】
次ぎに、テープカセット２１の概略構成について図３乃至図７に基づいて説明する。図４はテープ印刷装置１のカセット収納部８にテープカセット２１を装着した状態でテープカセット２１の上ケース２３を取り外した場合の要部拡大平面図である。図５は図４のテープ排出口２７の周囲を拡大した要部拡大図である。図６は図５のテープ排出口２７のＸ１矢視図である。図７は両面粘着テープ５３をフィルムテープ５１へ圧着後、セパレータ５３Ｄが剥離される状態を模式的に示す図である。
【００４０】
図３及び図４に示すように、テープカセット２１は、上ケース２３と下ケース２４とを有する。このテープカセット２１には、被印刷テープとしての透明なフィルムテープ５１を巻回したテープスプール５４を回転可能に支持する支持孔４１が形成されている。また、このテープカセット２１には、両面粘着テープ５３の剥離紙やフィルム等から形成されるセパレータ５３Ｄ（図７参照）を外側に向けて巻回した両面粘着スプール５６を回転可能に支持する支持孔４２が形成されている。
【００４１】
また、このテープカセット２１には、テープスプール５４と両面粘着スプール５６との間の開口部２２側に配設されたリボン巻き取りスプール６１を回転可能に支持する支持孔４３が形成されている。このリボン巻き取りスプール６１は、サーマルヘッド９によりフィルムテープ５１上に文字等を印刷する際にリボンスプール５５からインクリボン５２を引き出すとともに、巻き取る。
【００４２】
また、このテープカセット２１には、テープスプール５４と両面粘着スプール５６との間の開口部２２に対向する下ケース２４の側壁部２４Ａ側に配設されたセパレータ巻き取りスプール６２を回転可能に支持する支持孔４４が形成されている。このセパレータ巻き取りスプール６２は、テープ送りローラ６３の外周面に沿って両面粘着テープ５３から剥離されたセパレータ５３Ｄを巻き取る。また、下ケース２４の側壁部２４Ａのセパレータ巻き取りスプール６２に対向する部分は平面視略円弧状に突出するように形成されている。
【００４３】
また、このテープカセット２１には、テープ送りローラ６３のテープ搬送方向下流側、つまり、テープ排出口２７側に離間して配置された接触コロ６５を回転可能に支持する支持孔４８が形成されている。
図５及び図６に示すように、この接触コロ６５の外周面は、該外周面に軸方向断面Ｖ字形の溝部６５Ａが軸方向に連続して形成されると共に、両端面外周部が軸方向内側に斜めに面取りされて、軸方向に平行な複数の断面略三角形の凸状形状に形成されている。
【００４４】
また、接触コロ６５は、両端面中心位置に支持孔４８に回転可能に嵌入される各支持軸６５Ｂが立設されると共に、外周面にシリコーン樹脂皮膜が形成されている。そして、この接触コロ６５は、セパレータ５３Ｄが剥離された印刷済みテープ２８の粘着層５３Ｃ（図７参照）に接触して、該印刷済みテープ２８をテープ排出口２７からテープ搬送方向下流側へ案内する。
【００４５】
また、接触コロ６５は、テープ送りローラ６３に対向する側壁部２４Ｂよりもテープ搬送方向外側に突出して、固定刃３０Ａに対向すると共に該固定刃３０Ａに近接するように設けられている。
また、接触コロ６５に対して印刷済みテープ２８を挟んで対向する案内壁３３は、この接触コロ６５よりもテープ搬送方向下流側へ延出されて、印刷済みテープ２８を固定刃３０Ａの近傍位置まで案内可能となるように設けられている。
【００４６】
また、このテープカセット２１には、両面粘着スプール５６に巻回された両面粘着テープ５３の最大径時の外周面と下ケース２４の各側壁部２４Ａ、２４Ｃとの間に、この両面粘着テープ５３の引出口から下ケース２４の側壁部２４Ａに対向する部分までを覆う平面視略半円形状の案内リブ３５が底面部に立設されている。また、案内リブ３５の下ケース２４の各側壁部２４Ａ、２４Ｃに対向する部分には、テープ幅方向に沿って所定高さ（例えば、高さ約１ｍｍである。）突出する各凸状部３５Ａ、３５Ｂが全幅に渡って形成されている。
【００４７】
また、両面粘着スプール５６に巻回された両面粘着テープ５３に対向する下ケース２４の隅部と案内リブ３５との間には、略円柱形状のガイドピン３６が立設されている。また、上ケース２３のガイドピン３６に対向する部分には、このガイドピン３６の端縁部が嵌入されて支持する支持孔４９が形成されている。また、テープ送りローラ６３のテープサブローラ１１に対して反対側には、セパレータ５３Ｄとの接触面を平面視円弧状に形成されたセパレータ案内壁３７が、側壁部２４Ｃから該テープ送りローラ６３と所定隙間を形成して内側方向に突出している。
【００４８】
尚、図３中には、上ケース２３に形成された各支持孔４１、４２、４３、４４、４８のみしか図示されていないが、下ケース２４についても同様に上ケース２３の各支持孔４１、４２、４３、４４、４８に対向して各支持孔４１、４２、４３、４４、４８が形成されている。
【００４９】
また、図４に示すように、テープカセット２１内には、透明テープ等からなる被印刷テープであるフィルムテープ５１、このフィルムテープ５１に印刷を施すためのインクリボン５２、更には、印刷がなされたフィルムテープ５１に裏貼りされる両面粘着テープ５３を各々、テープスプール５４、リボンスプール５５、両面粘着スプール５６に巻回して、下ケース２４の底面に立設されるカセットボス５８、リールボス５９、カセットボス６０に回転可能に嵌挿して収納したものであり、更に、使用済みのインクリボン５２を巻き取るリボン巻き取りスプール６１、及び両面粘着テープ５３から剥離されたセパレータ５３Ｄを巻き取るセパレータ巻き取りスプール６２を備えている。
【００５０】
尚、図４に示すように、リボン巻き取りスプール６１の下部にはクラッチバネ６４が取り付けられている。このクラッチバネ６４はリボン巻き取りスプール６１が逆転して巻き取ったインクリボン５２が緩んでしまうことを防止するものである。また、セパレータ巻き取りスプール６２の下部にはクラッチバネ６６が取り付けられている。このクラッチバネ６６はセパレータ巻き取りスプール６２が逆転して巻き取ったセパレータ５３Ｄが緩んでしまうことを防止するものである。
【００５１】
また、図４に示すように、リボンスプール５５に巻回され、このリボンスプール５５から引き出された未使用インクリボン５２は、フィルムテープ５１と重ね合わされ、フィルムテープ５１と共に開口部２２に入り、サーマルヘッド９及びプラテンローラ１０の間を通過する。その後、インクリボン５２は、フィルムテープ５１から引き離され、リボン巻取軸１５により回転駆動されるリボン巻き取りスプール６１に至り、このリボン巻き取りスプール６１により巻き取られる。
【００５２】
また、図７に示すように、セパレータ５３Ｄを外側にして両面粘着スプール５６に巻回された両面粘着テープ５３は、４層構造に構成されている。この両面粘着テープ５３の各層は、図７中下側から上側方向へ向かって、フィルムテープ５１を接着するための粘着層５３Ａ、ＰＥＴ（ポリエチレンテレフタラート）等から成る色付きのベースフィルム５３Ｂ、商品等の貼り付け対象に貼り付けるための粘着層５３Ｃ、この粘着層５３Ｃの貼り付け側を覆うセパレータ５３Ｄの順序で積層されて構成されている。
【００５３】
そして、図４乃至図７に示すように、両面粘着スプール５６から引き出された両面粘着テープ５３は、テープ駆動ローラ軸１４によって回転駆動されるテープ送りローラ６３とテープサブローラ１１との間を通過し、セパレータ５３Ｄが重ね合わされない側の粘着層５３Ａがフィルムテープ５１の印刷面に圧着される。
【００５４】
その後、セパレータ５３Ｄは、フィルムテープ５１に圧着された両面粘着テープ５３から剥離され、テープ送りローラ６３の外周面に沿って両面粘着スプール５６側に、つまり、引き出し側方向（図４中、上側方向である。）へ案内される。続いて、セパレータ５３Ｄは、セパレータ案内壁３７の壁面に沿って案内リブ３５の外側方向に案内されて、凸状部３５Ａ、ガイドピン３６及び凸状部３５Ｂの外周面に順次沿って、巻回された両面粘着テープ５３の外側周縁を通って略直角内側方向へ案内されてセパレータ巻き取りスプール６２に至る。
【００５５】
そして、セパレータ５３Ｄの先端部は、このセパレータ巻き取りスプール６２の外周面に接着テープ等によって固着され、セパレータ巻取軸１６により回転駆動される該セパレータ巻き取りスプール６２に巻き取られる。尚、セパレータ巻取軸１６は、テープ駆動ローラ軸１４及びリボン巻取軸１５と同期して回転駆動される。
【００５６】
また、フィルムテープ５１は、テープ駆動ローラ軸１４によって回転駆動されるテープ送りローラ６３とテープサブローラ１１との間を通過後、印刷面に粘着層５３Ａ、ベースフィルム５３Ｂ及び粘着層５３Ｃが積層された状態で接触コロ６５に至る。そして、印刷面に粘着層５３Ａ、ベースフィルム５３Ｂ及び粘着層５３Ｃが積層されたフィルムテープ５１は、つまり、セパレータ５３Ｄが剥離された粘着剤付き印刷済みテープ２８は、粘着層５３Ｃに接触する接触コロ６５と、該接触コロ６５に対して印刷済みテープ２８を挟んで対向する案内壁３３とによって案内されて、テープ排出口２７からテープカセット２１の外部に送り出される。そして、セパレータ５３Ｄが剥離された粘着剤付き印刷済みテープ２８は、カッタユニット３０を経てテープ印刷装置１のラベル排出口１７より外部に送り出される。
【００５７】
そして、印刷済みテープ２８を所定長さ搬送後、不図示の切断用モータを駆動して可動刃３０Ｂを作動させることによって、セパレータ５３Ｄが剥離された所定長さの粘着剤付き印刷済みテープ２８がラベル排出口１７より排出される。
【００５８】
ここで、テープ駆動ローラ軸１４、テープ送りローラ６３及びテープサブローラ１１は、搬送手段の一例を構成する。また、サーマルヘッド９及びプラテンローラ１０は、印刷手段の一例を構成する。また、フィルムテープ５１は、被印刷テープの一例として機能する。また、カッタユニット３０は、切断装置の一例として機能する。また、セパレータ案内壁３７、各凸状部３５Ａ、３５Ｂ、ガイドピン３６は、ガイド部材の一例を構成する。
【００５９】
従って、第１実施形態に係るテープカセット２１では、両面粘着テープ５３は、テープ送りローラ６３とテープサブローラ１１とによって、フィルムテープ５１の印刷された一方の面に圧着された後、セパレータ５３Ｄが剥離された状態で搬送されることとなる。これにより、所定長さに切断された印刷済みテープ２８を商品等に貼り付ける際に、セパレータ５３Ｄを剥がす手間を省くことができる。
【００６０】
また、セパレータ５３Ｄは、テープ送りローラ６３の外周面に沿ってセパレータ案内壁３７へ案内された後、凸状部３５Ａ、ガイドピン３６及び凸状部３５Ｂによって巻回された両面粘着テープ５３の外側周縁を通って略直角内側方向へ案内されて、セパレータ巻き取りスプール６２に巻き取られるため、剥離したセパレータ５３Ｄをテープカセット２１内に収納することが可能となり、ユーザは両面粘着テープ５３から剥離したセパレータ５３Ｄを廃棄する手間を省くことができる。
【００６１】
また、両面粘着テープ５３が圧着されてセパレータ５３Ｄが剥離された印刷済みテープ２８は、セパレータ５３Ｄが剥離された両面粘着テープ５３の粘着層５３Ｃに接触する接触コロ６５と案内壁３３とに挟まれて搬送されるため、印刷済みテープ２８がセパレータ５３Ｄ側に撓んでテープ排出口２７で詰まることを防止して、当該印刷済みテープ２８をテープ排出口２７から外部へスムーズに排出することが可能となる。
【００６２】
また、接触コロ６５をテープ排出口２７よりもテープ搬送方向外側に突出するように設けることによって、この接触コロ６５の外径を大きくすることが可能となる。これにより、接触コロ６５の組付け作業を容易に行うことが可能になるとともに、セパレータ５３Ｄが剥離された粘着剤付き印刷済みテープ２８が、テープ排出口２７で詰まることをより確実に防止することが可能となる。
【００６３】
また、接触コロ６５は、固定刃３０Ａに対向すると共に該固定刃３０Ａに近接して配置されるため、テープ切断位置と印刷済みテープ２８の印刷位置との距離を短くすることが可能となり、印刷済みテープ２８の余白長さを短くすることが可能となる。
【００６４】
また、案内壁３３は、接触コロ６５よりもテープ搬送方向下流側へ延出されているため、印刷済みテープ２８の印刷面の裏面側をより確実に案内することが可能となる。また、接触コロ６５が固定刃３０Ａに近接して配設されるため、印刷済みテープ２８の印刷面の裏面側をテープ切断位置、つまり、固定刃３０Ａの刃先の近傍まで確実に案内することが可能となる。
【００６５】
また、接触コロ６５は、両面粘着テープ５３の粘着層５３Ｃに接触する外周面が、軸方向に平行な複数の断面略三角形の凸状形状に形成されているため、接触コロ６５と両面粘着テープ５３の粘着層５３Ｃとの接触面積を小さくすることが可能となる。これにより、接触コロ６５の外周面が両面粘着テープ５３の粘着層５３Ｃからスムーズに離れることが可能となり、印刷済みテープ２８をテープ排出口２７から外部へスムーズに排出することができる。
【００６６】
また、接触コロ６５の両面粘着テープ５３の粘着層５３Ｃに接触する外周面には、粘着剤による粘着力を小さくするシリコーン樹脂皮膜が形成されているため、接触コロ６５の外周面が両面粘着テープ５３の粘着層５３Ｃからスムーズに離れることが可能となり、印刷済みテープ２８をテープ排出口２７から外部へ更にスムーズに排出することが可能となる。
【００６７】
更に、セパレータ巻き取りスプール６２は、両面粘着スプール５６とテープスプール５４との間に配設されているため、テープ印刷装置１によるテープ印刷が行われることによってセパレータ巻き取りスプール６２に巻回可能なセパレータ５３Ｄの最大巻回長さを容易に大きくすることができ、テープカセット２１の小型化を図ることが可能となる。
【００６８】
また、剥離したセパレータ５３Ｄをテープ送りローラ６３の外周面に沿って両面粘着スプール５６に巻回される両面粘着テープ５３の引き出し側へ案内後、セパレータ案内壁３７、凸状部３５Ａ、ガイドピン３６及び凸状部３５Ｂによって巻回された両面粘着テープ５３の外側周縁を通ってセパレータ巻き取りスプール６２まで案内することによって、テープカセット２１内の隙間空間を有効に活用することができ、テープカセット２１の更なる小型化を図ることが可能となる。
【００６９】
［第２実施形態］
次に、第２実施形態に係るテープカセット７１について図８及び図９に基づいて説明する。尚、以下の説明において上記図１乃至図７の第１実施形態に係るテープカセット２１及びテープ印刷装置１の構成等と同一符号は、該第１実施形態に係るテープカセット２１及びテープ印刷装置１等の構成等と同一あるいは相当部分を示すものである。
図８は第２実施形態に係るテープカセット７１の一例を示す要部拡大図である。図９は図８のＸ２矢視部分拡大図である。
【００７０】
第２実施形態に係るテープカセット７１の概略構成は、第１実施形態に係るテープカセット２１とほぼ同じ構成である。
但し、図８及び図９に示すように、テープ送りローラ６３とテープサブローラ１１によってフィルムテープ５１に圧着された両面粘着テープ５３からセパレータ５３Ｄが剥離される剥離位置近傍のテープ搬送方向下流側、つまり、印刷済みテープ２８の粘着層５３Ｃとセパレータ５３Ｄとの間に、剥離部材の一例としての剥離ピン７２が設けられ、印刷済みテープ２８とセパレータ５３Ｄを分離している。
【００７１】
この剥離ピン７２は、印刷済みテープ２８のテープ幅よりも長い断面円形の略円柱形状で、両端面中心位置に各支持軸７２Ａが立設されている。また、この剥離ピン７２の外周面には、シリコーン樹脂皮膜が形成されている。また、テープカセット７１の上ケース２３及び下ケース２４には、剥離ピン７２の各支持軸７２Ａを回転可能に支持する各支持孔７３が形成されている。そして、剥離ピン７２の各支持軸７２Ａは、各支持孔７３に挿入されて、回転可能に設けられている。
【００７２】
従って、第２実施形態に係るテープカセット７１では、剥離ピン７２は、両端部が回転可能に支持されると共に、印刷済みテープ２８の粘着層５３Ｃ及びセパレータ５３Ｄの全幅に渡って接触する。
【００７３】
これにより、第２実施形態に係るテープカセット７１では、第１実施形態に係るテープカセット２１が奏する上記作用効果に加えて、剥離ピン７２によってフィルムテープ５１に圧着された両面粘着テープ５３からセパレータ５３Ｄをスムーズに剥離させることが可能となる。また、テープカセット７１では、両面粘着テープ５３から剥離されたセパレータ５３Ｄが、振動等によって再度両面粘着テープ５３の粘着層５３Ｃへ付着するのを当該剥離ピン７２によって確実に防止することが可能となる。
【００７４】
尚、上記剥離ピン７２を下ケース２４の底面に円柱形状で立設する共に、外周面にシリコーン樹脂皮膜を形成し、上ケース２３の剥離ピン７２に対向する位置に、この剥離ピン７２の端縁部が嵌入されて支持する支持孔を形成し、支持孔にて剥離ピン７２が回転するようにしてもよい。これにより、剥離ピン７２によってフィルムテープ５１に圧着された両面粘着テープ５３からセパレータ５３Ｄをスムーズに剥離させることが可能となる。
【００７５】
［第３実施形態］
次に、第３実施形態に係るテープカセット８１について図１０及び図１１に基づいて説明する。尚、以下の説明において上記図１乃至図７の第１実施形態に係るテープカセット２１及びテープ印刷装置１の構成等と同一符号は、該第１実施形態に係るテープカセット２１及びテープ印刷装置１等の構成等と同一あるいは相当部分を示すものである。また、上記図８及び図９の第２実施形態に係るテープカセット７１の構成等と同一符号は、該第２実施形態に係るテープカセット７１の構成等と同一あるいは相当部分を示すものである。
図１０は第３実施形態に係るテープカセット８１の一例を示す要部拡大図である。図１１は図１０のＸ３矢視部分拡大図である。
【００７６】
第３実施形態に係るテープカセット８１の概略構成は、第２実施形態に係るテープカセット７１とほぼ同じ構成である。
但し、図１０及び図１１に示すように、両面粘着スプール５６とテープ送りローラ６３との間、つまり、両面粘着テープ５３の引出口とテープ送りローラ６３との間の該両面粘着テープ５３の経路上において、両面粘着テープ５３のセパレータ５３Ｄと粘着層５３Ｃとの間に挿入されるように、予備剥離部材の一例としての予備剥離ピン８２が設けられている。
【００７７】
また、予備剥離ピン８２の両面粘着テープ５３の搬送方向上流側には、テープカセット８１の上ケース２３と下ケース２４のそれぞれから、該両面粘着テープ５３の幅寸法にほぼ等しい距離で相対向するように突出した平面視略横長四角形の一対の上流側ガイド部８５Ａ、８５Ｂが設けられている。これにより、一対の上流側ガイド部８５Ａ、８５Ｂによって、両面粘着テープ５３の幅方向への移動を規制しつつ、この両面粘着テープ５３を予備剥離ピン８２へ摺動案内することが可能となる。
尚、この一対の上流側ガイド部８５Ａ、８５Ｂは、設けなくてもよい。
【００７８】
また、予備剥離ピン８２の両面粘着テープ５３の搬送方向下流側には、一対の下流側コロ８６Ａ、８６Ｂが、両面粘着テープ５３を挟んで、該両面粘着テープ５３の厚さにほぼ等しい距離で対向するように設けられている。そして、予備剥離ピン８２によって両面粘着テープ５３から一度剥離されたセパレータ５３Ｄと、該セパレータ５３Ｄが剥離された両面粘着テープ５３とが、一対の下流側コロ８６Ａ、８６Ｂ間を通って引き出されている。
【００７９】
つまり、両面粘着スプール５６から引き出された両面粘着テープ５３は、一対の上流側ガイド部８５Ａ、８５Ｂの間を幅方向への移動を規制されつつ通過して、予備剥離ピン８２に案内された後、この予備剥離ピン８２によって両面粘着テープ５３からセパレータ５３Ｄが一度剥離される。そして、予備剥離ピン８２によって両面粘着テープ５３から一度剥離されたセパレータ５３Ｄと、該セパレータ５３Ｄが剥離された両面粘着テープ５３とは、該予備剥離ピン８２を通過後、一対の下流側コロ８６Ａ、８６Ｂの間を通過する。更に、この一対の下流側コロ８６Ａ、８６Ｂの間を通過したセパレータ５３Ｄは、再度、両面粘着テープ５３の粘着層５３Ｃに貼り合わされて、テープ送りローラ６３の外周面に沿って引き出されている。
【００８０】
また、予備剥離ピン８２は、両面粘着テープ５３のテープ幅よりも長い断面円形の略円柱形状で、両端面中心位置に各支持軸８２Ａが立設されている。また、この予備剥離ピン８２の外周面には、シリコーン樹脂皮膜が形成されている。また、テープカセット８１の上ケース２３及び下ケース２４には、予備剥離ピン８２の各支持軸８２Ａを回転可能に支持する各支持孔８３が形成されている。
【００８１】
従って、この予備剥離ピン８２は、各支持軸８２Ａが各支持孔８３に挿入されて、回転可能に設けられるため、該予備剥離ピン８２は、両端部が回転可能に支持されると共に、両面粘着テープ５３の粘着層５３Ｃ及びセパレータ５３Ｄの全幅に渡って接触する。
【００８２】
また、一対の下流側コロ８６Ａ、８６Ｂは、両面粘着テープ５３のテープ幅とほぼ等しい長さの断面円形の略円柱形状で、それぞれの両端面中心位置に各支持軸８７が立設されている。また、各下流側コロ８６Ａ、８６Ｂの外周面には、シリコーン樹脂皮膜が形成されている。また、テープカセット８１の上ケース２３及び下ケース２４には、両面粘着テープ５３の両側縁部に接触して幅方向の移動を規制すると共に両面粘着テープ５３を搬送方向へ摺動案内可能に突出する平面視略横長四角形の各段差部８８、８８が設けられている。
【００８３】
また、各段差部８８、８８には、各下流側コロ８６Ａ、８６Ｂの各支持軸８７を回転可能に支持する一対の支持孔８９が形成されている。そして、各下流側コロ８６Ａ、８６Ｂの各支持軸８７は、各支持孔８９に挿入されて、回転可能に支持されると共に、両面粘着テープ５３の厚さにほぼ等しい距離で対向するように設けられている。尚、各下流側コロ８６Ａ、８６Ｂのうちの少なくとも両面粘着テープ５３の粘着層５３Ａに接触する下流側コロ８６Ｂの外周面だけに、シリコーン樹脂皮膜を形成するようにしてもよい。
【００８４】
従って、第３実施形態に係るテープカセット８１では、両面粘着スプール５６から引き出された両面粘着テープ５３は、一対の上流側ガイド部８５Ａ、８５Ｂの間を幅方向への移動を規制されつつ通過後、両端部を回転可能に支持される予備剥離ピン８２によってセパレータ５３Ｄが両面粘着テープ５３から剥離される。その後、セパレータ５３Ｄと、セパレータ５３Ｄが剥離された両面粘着テープ５３とは、各段差部８８、８８と各下流側コロ８６Ａ、８６Ｂとの間を通過することによって、該セパレータ５３Ｄは、再度、両面粘着テープ５３の粘着層５３Ｃに貼り合わされて、テープ送りローラ６３の外周面に沿って引き出される。
【００８５】
これにより、第３実施形態に係るテープカセット８１では、第２実施形態に係るテープカセット７１が奏する上記作用効果に加えて、予備剥離ピン８２によってセパレータ５３Ｄが両面粘着テープ５３から一度剥離された後、再度両面粘着テープ５３の粘着層５３Ｃに貼り合わされてテープ送りローラ６３へ搬送されるため、該両面粘着テープ５３のセパレータ５３Ｄに対する粘着力を低下させた状態でフィルムテープ５１の印刷面に圧着させることが可能となる。
【００８６】
このため、フィルムテープ５１に圧着された両面粘着テープ５３からセパレータ５３Ｄを容易に剥離することが可能となる。また、剥離ピン７２によってフィルムテープ５１に圧着された両面粘着テープ５３からセパレータ５３Ｄを更にスムーズに剥離させることが可能となり、セパレータ５３Ｄが剥離された粘着剤付き印刷済みテープ２８をテープ排出口２７へ更にスムーズに搬送することが可能となる。
【００８７】
［第４実施形態］
次に、第４実施形態に係るテープカセット９１について図１２乃至図１４に基づいて説明する。尚、以下の説明において上記図１乃至図７の第１実施形態に係るテープカセット２１及びテープ印刷装置１の構成等と同一符号は、該第１実施形態に係るテープカセット２１及びテープ印刷装置１等の構成等と同一あるいは相当部分を示すものである。
図１２は第４実施形態に係るテープカセット９１の一例を示す要部拡大図である。図１３は図１２のＸ４矢視部分拡大図である。図１４は両面粘着テープ５３をフィルムテープ５１へ圧着後、セパレータ５３Ｄが剥離される状態を模式的に示す図である。
【００８８】
第４実施形態に係るテープカセット９１の概略構成は、第１実施形態に係るテープカセット２１とほぼ同じ構成である。
但し、図１２乃至図１４に示すように、テープ送りローラ６３とテープサブローラ１１によってフィルムテープ５１に圧着された両面粘着テープ５３と該テープ送りローラ６３との間に、両面粘着テープ５３のセパレータ５３Ｄに接触する接触部材の一例としての接触ピン９２が設けられている。また、接触ピン９２は、テープ送りローラ６３と所定距離（例えば、距離約０．５ｍｍである。）だけ離間するように設けられている。
【００８９】
そして、セパレータ５３Ｄは、接触ピン９２の外周面に沿ってフィルムテープ５１に圧着された両面粘着テープ５３から剥離されて、再度、テープ送りローラ６３の外周面に沿って両面粘着スプール５６側に、つまり、引き出し側方向（図１２中、上側方向である。）へ案内される。続いて、セパレータ５３Ｄは、上記第１実施形態に係るテープカセット２１と同様に、セパレータ案内壁３７の壁面に沿って案内リブ３５の外側方向に案内されてセパレータ巻き取りスプール６２に至る。
【００９０】
この接触ピン９２は、印刷済みテープ２８のテープ幅よりも長い断面円形の略円柱形状で、両端面中心位置に各支持軸９２Ａが立設されている。また、テープカセット９１の上ケース２３及び下ケース２４には、接触ピン９２の各支持軸９２Ａを回転可能に支持する各支持孔９３が形成されている。そして、接触ピン９２の各支持軸９２Ａは、各支持孔９３に挿入されて、回転可能に設けられている。
【００９１】
従って、第４実施形態に係るテープカセット９１では、接触ピン９２は、両端部が回転可能に支持されると共に、フィルムテープ５１に圧着された両面粘着テープ５３のセパレータ５３Ｄの全幅に渡って接触する。
【００９２】
これにより、第４実施形態に係るテープカセット９１では、第１実施形態に係るテープカセット２１が奏する上記作用効果に加えて、接触ピン９２によって両面粘着テープ５３を押さえつつ、この接触ピン９２の外周面に沿って搬送することで印刷済みテープ２８の搬送方向とは異なる方向へ急激にセパレータ５３Ｄの搬送方向を切り換えることにより、両面粘着テープ５３からセパレータ５３Ｄをスムーズに剥離させることが可能となる。また、接触ピン９２によって両面粘着テープ５３から剥離されたセパレータ５３Ｄを外側方向に張ることが可能となり、剥離されたセパレータ５３Ｄの撓みを防止してスムーズにテープ送りローラ６３の外周面へ案内することが可能となる。
【００９３】
尚、上記接触ピン９２を下ケース２４の底面に円柱形状で立設し、上ケース２３の接触ピン９２に対向する位置に、この接触ピン９２の端縁部が嵌入されて支持する支持孔を形成するようにしてもよい。これにより、接触ピン９２によってフィルムテープ５１に圧着された両面粘着テープ５３からセパレータ５３Ｄをスムーズに剥離させることが可能となる。また、接触ピン９２によって両面粘着テープ５３から剥離されたセパレータ５３Ｄを外側方向に張ることが可能となり、剥離されたセパレータ５３Ｄの撓みを防止してスムーズにテープ送りローラ６３の外周面へ案内することが可能となる。
【００９４】
［第５実施形態］
次に、第５実施形態に係るテープカセット１０１について図１５及び図１６に基づいて説明する。尚、以下の説明において上記図１乃至図７の第１実施形態に係るテープカセット２１及びテープ印刷装置１の構成等と同一符号は、該第１実施形態に係るテープカセット２１及びテープ印刷装置１等の構成等と同一あるいは相当部分を示すものである。また、上記図１２乃至図１４の第４実施形態に係るテープカセット９１の構成等と同一符号は、該第４実施形態に係るテープカセット９１の構成等と同一あるいは相当部分を示すものである。
図１５は第５実施形態に係るテープカセット１０１の一例を示す要部拡大図である。図１６は図１５のＸ５矢視部分拡大図である。
【００９５】
第５実施形態に係るテープカセット１０１の概略構成は、第４実施形態に係るテープカセット９１とほぼ同じ構成である。
但し、図１５及び図１６に示すように、両面粘着スプール５６とテープ送りローラ６３との間、つまり、両面粘着テープ５３の引出口とテープ送りローラ６３との間の該両面粘着テープ５３の経路上において、両面粘着テープ５３のセパレータ５３Ｄと粘着層５３Ｃとの間に挿入されるように、予備剥離部材の一例としての予備剥離ピン１０２が設けられている。
【００９６】
また、予備剥離ピン１０２の両面粘着テープ５３の搬送方向上流側には、テープカセット１０１の上ケース２３と下ケース２４のそれぞれから、該両面粘着テープ５３の幅寸法にほぼ等しい距離で相対向するように突出した平面視略横長四角形の一対の上流側ガイド部１０５Ａ、１０５Ｂが設けられている。これにより、一対の上流側ガイド部１０５Ａ、１０５Ｂによって、両面粘着テープ５３の幅方向への移動を規制しつつ、この両面粘着テープ５３を予備剥離ピン１０２へ摺動案内することが可能となる。
尚、この一対の上流側ガイド部１０５Ａ、１０５Ｂは、設けなくてもよい。
【００９７】
また、予備剥離ピン１０２の両面粘着テープ５３の搬送方向下流側には、一対の下流側コロ１０６Ａ、１０６Ｂが、両面粘着テープ５３を挟んで、該両面粘着テープ５３の厚さにほぼ等しい距離で対向するように設けられている。そして、予備剥離ピン１０２によって両面粘着テープ５３から一度剥離されたセパレータ５３Ｄと、該セパレータ５３Ｄが剥離された両面粘着テープ５３とが、一対の下流側コロ１０６Ａ、１０６Ｂ間を通って引き出されている。
【００９８】
つまり、両面粘着スプール５６から引き出された両面粘着テープ５３は、一対の上流側ガイド部１０５Ａ、１０５Ｂの間を幅方向への移動を規制されつつ通過して、予備剥離ピン１０２に案内された後、この予備剥離ピン１０２によって両面粘着テープ５３からセパレータ５３Ｄが一度剥離される。そして、予備剥離ピン１０２によって両面粘着テープ５３から一度剥離されたセパレータ５３Ｄと、該セパレータ５３Ｄが剥離された両面粘着テープ５３とは、該予備剥離ピン１０２を通過後、一対の下流側コロ１０６Ａ、１０６Ｂの間を通過する。更に、この一対の下流側コロ１０６Ａ、１０６Ｂの間を通過したセパレータ５３Ｄは、再度、両面粘着テープ５３の粘着層５３Ｃに貼り合わされて、テープ送りローラ６３の外周面に沿って引き出されている。
【００９９】
また、予備剥離ピン１０２は、両面粘着テープ５３のテープ幅よりも長い断面円形の略円柱形状で、両端面中心位置に各支持軸１０２Ａが立設されている。また、この予備剥離ピン１０２の外周面には、シリコーン樹脂皮膜が形成されている。また、テープカセット１０１の上ケース２３及び下ケース２４には、予備剥離ピン１０２の各支持軸１０２Ａを回転可能に支持する各支持孔１０３が形成されている。
【０１００】
従って、この予備剥離ピン１０２は、各支持軸１０２Ａが各支持孔１０３に挿入されて、回転可能に設けられるため、該予備剥離ピン１０２は、両端部が回転可能に支持されると共に、両面粘着テープ５３の粘着層５３Ｃ及びセパレータ５３Ｄの全幅に渡って接触する。
【０１０１】
また、一対の下流側コロ１０６Ａ、１０６Ｂは、両面粘着テープ５３のテープ幅とほぼ等しい長さの断面円形の略円柱形状で、それぞれの両端面中心位置に各支持軸１０７が立設されている。また、各下流側コロ１０６Ａ、１０６Ｂの外周面には、シリコーン樹脂皮膜が形成されている。また、テープカセット１０１の上ケース２３及び下ケース２４には、両面粘着テープ５３の両側縁部に接触して幅方向の移動を規制すると共に両面粘着テープ５３を搬送方向へ摺動案内可能に突出する平面視略横長四角形の各段差部１０８、１０８が設けられている。
【０１０２】
また、各段差部１０８、１０８には、各下流側コロ１０６Ａ、１０６Ｂの各支持軸１０７を回転可能に支持する一対の支持孔１０９が形成されている。そして、各下流側コロ１０６Ａ、１０６Ｂの各支持軸１０７は、各支持孔１０９に挿入されて、回転可能に支持されると共に、両面粘着テープ５３の厚さにほぼ等しい距離で対向するように設けられている。尚、各下流側コロ１０６Ａ、１０６Ｂのうちの少なくとも両面粘着テープ５３の粘着層５３Ａに接触する下流側コロ１０６Ｂの外周面だけに、シリコーン樹脂皮膜を形成するようにしてもよい。
【０１０３】
従って、第５実施形態に係るテープカセット１０１では、両面粘着スプール５６から引き出された両面粘着テープ５３は、一対の上流側ガイド部１０５Ａ、１０５Ｂの間を幅方向への移動を規制されつつ通過後、両端部を回転可能に支持される予備剥離ピン１０２によってセパレータ５３Ｄが両面粘着テープ５３から剥離される。その後、セパレータ５３Ｄと、セパレータ５３Ｄが剥離された両面粘着テープ５３とは、各段差部１０８、１０８と各下流側コロ１０６Ａ、１０６Ｂとの間を通過することによって、該セパレータ５３Ｄは、再度、両面粘着テープ５３の粘着層５３Ｃに貼り合わされて、テープ送りローラ６３の外周面に沿って引き出される。
【０１０４】
これにより、第５実施形態に係るテープカセット１０１では、第４実施形態に係るテープカセット９１が奏する上記作用効果に加えて、予備剥離ピン１０２によってセパレータ５３Ｄが両面粘着テープ５３から一度剥離された後、再度両面粘着テープ５３の粘着層５３Ｃに貼り合わされてテープ送りローラ６３へ搬送されるため、該両面粘着テープ５３のセパレータ５３Ｄに対する粘着力を低下させた状態でフィルムテープ５１の印刷面に圧着させることが可能となる。
【０１０５】
このため、フィルムテープ５１に圧着された両面粘着テープ５３からセパレータ５３Ｄを容易に剥離することが可能となる。また、接触ピン９２によってフィルムテープ５１に圧着された両面粘着テープ５３からセパレータ５３Ｄを更にスムーズに剥離させることが可能となり、セパレータ５３Ｄが剥離された粘着剤付き印刷済みテープ２８をテープ排出口２７へ更にスムーズに搬送することが可能となる。
【０１０６】
［第６実施形態］
次に、第６実施形態に係るテープカセット１１１について図１７及び図１８に基づいて説明する。尚、以下の説明において上記図１乃至図７の第１実施形態に係るテープカセット２１及びテープ印刷装置１の構成等と同一符号は、該第１実施形態に係るテープカセット２１及びテープ印刷装置１等の構成等と同一あるいは相当部分を示すものである。
図１７は第６実施形態に係るテープカセット１１１の上ケース２３を取り外した場合の平面図である。図１８はセパレータ無し両面粘着テープ１１２がフィルムテープ５１へ圧着される状態を模式的に示す図である。
【０１０７】
第６実施形態に係るテープカセット１１１の概略構成は、第１実施形態に係るテープカセット２１とほぼ同じ構成である。
但し、図１７に示すように、テープスプール５４と両面粘着スプール５６との間の下ケース２４の側壁部２４Ａ側に配設されたセパレータ巻き取りスプール６２には、両面粘着スプール５６に巻回された両面粘着テープ５３の最外周から剥離されたセパレータ５３Ｄの先端部が接着テープ等によって固着されて、この剥離されたセパレータ５３Ｄが、巻回された両面粘着テープ５３の最外周とセパレータ巻き取りスプール６２の外周面との共通接線上に位置するように巻回されている。
【０１０８】
そして、このセパレータ巻き取りスプール６２は、セパレータ巻取軸１６の回転駆動によって、テープ送りローラ６３と同期して回転し、両面粘着スプール５６に巻回された両面粘着テープ５３からセパレータ５３Ｄを剥離しつつ巻き取る。
【０１０９】
つまり、図１７及び図１８に示すように、テープ送りローラ６３とセパレータ巻き取りスプール６２とが同期して回転することによって、両面粘着スプール５６に巻回された両面粘着テープ５３の最外周のセパレータ５３Ｄが剥離されてセパレータ巻き取りスプール６２に巻き取られる。また、両面粘着テープ５３からセパレータ５３Ｄが剥離されたセパレータ無し両面粘着テープ１１２は、テープ駆動ローラ軸１４によって回転駆動されるテープ送りローラ６３によって引き出される。
尚、テープ送りローラ６３は、外周面にシリコーン樹脂皮膜が形成されている。
【０１１０】
そして、テープ送りローラ６３によって引き出されたセパレータ無し両面粘着テープ１１２は、テープ送りローラ６３とテープサブローラ１１との間を通過し、セパレータ５３Ｄが重ね合わされない側の粘着層５３Ａが、フィルムテープ５１の印刷面に圧着される。この印刷面に粘着層５３Ａ、ベースフィルム５３Ｂ及び粘着層５３Ｃが積層されたフィルムテープ５１は、つまり、セパレータ５３Ｄが剥離された粘着剤付き印刷済みテープ２８は、粘着層５３Ｃに接触する接触コロ６５と、該接触コロ６５に対して印刷済みテープ２８を挟んで対向する案内壁３３とによって案内されて、テープ排出口２７からテープカセット１１１の外部に送り出される。
【０１１１】
そして、セパレータ５３Ｄが剥離された粘着剤付き印刷済みテープ２８は、カッタユニット３０を経てテープ印刷装置１のラベル排出口１７より外部に送り出される。そして、印刷済みテープ２８を所定長さ搬送後、不図示の切断用モータを駆動して可動刃３０Ｂを作動させることによって、セパレータ５３Ｄが剥離された所定長さの粘着剤付き印刷済みテープ２８がラベル排出口１７より排出される。
【０１１２】
尚、図１７に示すように、テープカセット１１１の案内リブ３５には、各凸状部３５Ａ、３５Ｂが形成されていない。また、テープカセット１１１には、ガイドピン３６及び支持孔４９は設けられていない。
【０１１３】
従って、第６実施形態に係るテープカセット１１１では、両面粘着テープ５３は、テープ送りローラ６３とテープサブローラ１１とによって、セパレータ５３Ｄが剥離されたセパレータ無し両面粘着テープ１１２の状態で引き出されて、フィルムテープ５１の印刷された一方の面に圧着されて搬送されることとなる。これにより、所定長さに切断された印刷済みテープ２８を商品等に貼り付ける際に、セパレータ５３Ｄを剥がす手間を省くことができる。
【０１１４】
また、セパレータ５３Ｄは、両面粘着スプール５６に巻回されている両面粘着テープ５３の最外周から剥離されてセパレータ巻き取りスプール６２に巻き取られるため、剥離したセパレータ５３Ｄをテープカセット１１１内に収納することが可能となり、ユーザは両面粘着テープ５３から剥離したセパレータ５３Ｄを廃棄する手間を省くことができる。
【０１１５】
また、両面粘着テープ５３が圧着されてセパレータ５３Ｄが剥離された印刷済みテープ２８は、テープ排出口２７に回転可能に設けられて両面粘着テープ５３の粘着層５３Ｃに接触する接触コロ６５と案内壁３３とに挟まれて搬送されるため、印刷済みテープ２８がセパレータ５３Ｄ側に撓んでテープ排出口２７で詰まることを防止して、当該印刷済みテープ２８をテープ排出口２７から外部へスムーズに排出することが可能となる。
【０１１６】
また、接触コロ６５をテープ排出口２７よりもテープ搬送方向外側に突出するように設けることによって、この接触コロ６５の外径を大きくすることが可能となる。これにより、接触コロ６５の組付け作業を容易に行うことが可能になるとともに、印刷済みテープ２８がテープ排出口２７で詰まることをより確実に防止することが可能となる。
【０１１７】
また、接触コロ６５は、セパレータ無し両面粘着テープ１１２の粘着層５３Ｃに接触する外周面が、軸方向に平行な複数の断面略三角形の凸状形状に形成されているため、接触コロ６５とセパレータ無し両面粘着テープ１１２の粘着層５３Ｃとの接触面積を小さくすることが可能となる。これにより、接触コロ６５の外周面が、セパレータ無し両面粘着テープ１１２の粘着層５３Ｃからスムーズに離れることが可能となり、印刷済みテープ２８をテープ排出口２７から外部へスムーズに排出することができる。
【０１１８】
更に、セパレータ巻き取りスプール６２は、両面粘着スプール５６とテープスプール５４との間に配設されているため、テープ印刷装置１によるテープ印刷が行われることによってセパレータ巻き取りスプール６２に巻回可能なセパレータ５３Ｄの最大巻回長さを容易に大きくすることができ、テープカセット１１１の小型化を図ることが可能となる。また、両面粘着テープ５３から剥離したセパレータ５３Ｄを短い引き出し距離でセパレータ巻き取りスプール６２に巻回することが可能となり、テープカセット１１１の更なる小型化を図ることが可能となる。
【０１１９】
［第７実施形態］
次に、第７実施形態に係るテープカセット１２１について図１９及び図２０に基づいて説明する。尚、以下の説明において上記図１乃至図７の第１実施形態に係るテープカセット２１及びテープ印刷装置１の構成等と同一符号は、該第１実施形態に係るテープカセット２１及びテープ印刷装置１等の構成等と同一あるいは相当部分を示すものである。また、上記図１７及び図１８の第６実施形態に係るテープカセット１１１の構成等と同一符号は、該第６実施形態に係るテープカセット１１１の構成等と同一あるいは相当部分を示すものである。
図１９は第７実施形態に係るテープカセット１２１の一例を示す要部拡大図である。図２０は図１９のＸ６矢視部分拡大図である。
【０１２０】
第７実施形態に係るテープカセット１２１の概略構成は、第６実施形態に係るテープカセット１１１とほぼ同じ構成である。
但し、図１９及び図２０に示すように、テープ送りローラ６３とテープサブローラ１１によってフィルムテープ５１に圧着されたセパレータ無し両面粘着テープ１１２と該テープ送りローラ６３との間、つまり、印刷済みテープ２８の粘着層５３Ｃとテープ送りローラ６３との間に、接触部材の一例としての接触ピン１２２が設けられ、印刷済みテープ２８の粘着面である粘着層５３Ｃに接触している。また、接触ピン１２２は、外周面がテープ送りローラ６３と接触コロ６５との共通接線にほぼ接するように設けられている。
【０１２１】
この接触ピン１２２は、印刷済みテープ２８のテープ幅よりも長い断面円形の略円柱形状で、両端面中心位置に各支持軸１２２Ａが立設されている。また、この接触ピン１２２の外周面には、シリコーン樹脂皮膜が形成されている。また、テープカセット１２１の上ケース２３及び下ケース２４には、接触ピン１２２の各支持軸１２２Ａを回転可能に支持する各支持孔１２３が形成されている。そして、接触ピン１２２の各支持軸１２２Ａは、各支持孔１２３に挿入されて、回転可能に設けられている。
【０１２２】
従って、第７実施形態に係るテープカセット１２１では、接触ピン１２２は、両端部が回転可能に支持されると共に、印刷済みテープ２８の粘着層５３Ｃの全幅に渡って接触する。
【０１２３】
これにより、第７実施形態に係るテープカセット１２１では、第６実施形態に係るテープカセット１１１が奏する上記作用効果に加えて、接触ピン１２２によってセパレータ無し両面粘着テープ１１２が圧着された印刷済みテープ２８を外側方向に押さえつつ案内することが可能となり、該印刷済みテープ２８のテープ送りローラ６３側への撓みを防止してスムーズに接触コロ６５へ案内することが可能となる。
【０１２４】
［第８実施形態］
次に、第８実施形態に係るテープカセット１３１について図２１乃至図２３に基づいて説明する。尚、以下の説明において上記図１乃至図７の第１実施形態に係るテープカセット２１及びテープ印刷装置１の構成等と同一符号は、該第１実施形態に係るテープカセット２１及びテープ印刷装置１等の構成等と同一あるいは相当部分を示すものである。また、上記図１７及び図１８の第６実施形態に係るテープカセット１１１の構成等と同一符号は、該第６実施形態に係るテープカセット１１１の構成等と同一あるいは相当部分を示すものである。
図２１は第８実施形態に係るテープカセット１３１の一例を示す要部拡大図である。図２２は図２１のＸ７矢視部分拡大図である。図２３は図２１のＸ８矢視部分拡大図である。
【０１２５】
第８実施形態に係るテープカセット１３１の概略構成は、第６実施形態に係るテープカセット１１１とほぼ同じ構成である。
但し、図２１乃至図２３に示すように、上記テープ送りローラ６３に替えてテープ送りローラ１３２が回転可能に設けられ、上記接触コロ６５に替えて接触コロ１３３が回転可能に設けられている点で異なっている。
【０１２６】
このテープ送りローラ１３２は、上記テープ送りローラ６３とほぼ同じ構成であるが、外周面に所定深さの一対の溝部１３２Ａが形成されている。この一対の溝部１３２Ａは、印刷済みテープ２８の両側縁部からテープ幅方向内側の同じ距離の位置に対向するように、テープ送りローラ１３２の外周面の全周に渡って形成されている。また、このテープ送りローラ１３２は、外周面にシリコーン樹脂皮膜が形成されている。
【０１２７】
また、接触コロ１３３は、上ケース２３と下ケース２４とに形成される各支持孔４８に両端部が挿入されて回転可能に支持される軸部１３４と、この軸部１３４のテープ送りローラ１３２の各溝部１３２Ａに対向する外周面から半径方向外側に延出されて円板状に形成された一対のリブ部１３５とから構成されている。
【０１２８】
また、この一対のリブ部１３５の厚さ寸法は、対向する溝部１３２Ａの幅寸法よりも小さくなるように形成され、各リブ部１３５が対向する溝部１３２Ａに入り込むと共に、印刷済みテープ２８の粘着面に接触するように配設されている。また、一対のリブ部１３５は、外周面にシリコーン樹脂皮膜が形成されると共に、外周部は面取りされている。尚、各支持孔４８は、上記第１実施形態に係るテープカセット２１の各支持孔４８よりもテープ送りローラ１３２に近い位置に形成されている。
【０１２９】
また、接触コロ１３３の各リブ部１３５は、テープ送りローラ１３２に対向する側壁部２４Ｂよりもテープ搬送方向内側に位置するように配設されている。
また、接触コロ１３３に対して印刷済みテープ２８を挟んで対向する案内壁３３は、この接触コロ１３３の各リブ部１３５よりもテープ搬送方向下流側へ延出されて、印刷済みテープ２８を固定刃３０Ａの近傍位置まで案内可能となるように設けられている。
【０１３０】
そして、テープ送りローラ１３２によって引き出されたセパレータ無し両面粘着テープ１１２は、テープ送りローラ１３２とテープサブローラ１１との間を通過し、セパレータ５３Ｄが重ね合わされない側の粘着層５３Ａが、フィルムテープ５１の印刷面に圧着される。この印刷面に粘着層５３Ａ、ベースフィルム５３Ｂ及び粘着層５３Ｃが積層されたフィルムテープ５１は、つまり、セパレータ５３Ｄが剥離された粘着剤付き印刷済みテープ２８は、粘着層５３Ｃに接触する接触コロ１３３の各リブ部１３５と、該接触コロ１３３に対して印刷済みテープ２８を挟んで対向する案内壁３３とによって案内されて、テープ排出口２７からテープカセット１３１の外部に送り出される。
【０１３１】
従って、第８実施形態に係るテープカセット１３１では、第６実施形態に係るテープカセット１１１が奏する上記作用効果に加えて、接触コロ１３３は、外周面に形成された円板状の各リブ部１３５が、テープ送りローラ１３２の外周面に形成された各溝部１３２Ａに入り込むように配設されるため、接触コロ１３３をテープ送りローラ１３２に近接させて設けることが可能となる。これにより、テープ排出口２７をテープ送りローラ１３２に近接させて設けることが可能となり、印刷済みテープ２８がテープ排出口２７で詰まることをより確実に防止することが可能となる。
【０１３２】
また、接触コロ１３３をテープ送りローラ１３２に近接させて設けることが可能となるため、テープ排出口２７をテープ送りローラ１３２に近接させて、テープ切断位置と印刷済みテープ２８の印刷位置との距離を短くすることが可能となり、印刷済みテープ２８の余白長さを短くすることが可能となる。
【０１３３】
また、案内壁３３は、接触コロ１３３の各リブ部１３５よりもテープ搬送方向下流側へ延出されているため、印刷済みテープ２８の印刷面の裏面側をより確実に案内することが可能となる。
【０１３４】
また、接触コロ１３３の各リブ部１３５の印刷済みテープ２８の粘着層５３Ｃに接触する外周面には、粘着剤による粘着力を小さくするシリコーン樹脂皮膜が形成されると共に、各リブ部１３５は円板状に形成されているため、各リブ部１３５の外周面が印刷済みテープ２８の粘着層５３Ｃからスムーズに離れることが可能となり、印刷済みテープ２８をテープ排出口２７から外部へスムーズに排出することが可能となる。
【０１３５】
尚、接触コロ１３３は、軸方向中央部に１個のリブ部１３５を形成し、送りローラ１３２の該リブ部１３５に対向する位置に１個の溝部１３５を形成するようにしてもよい。また、接触コロ１３３は、軸方向に３個以上のリブ部１３５を形成し、送りローラ１３２の各リブ部１３５に対向する位置に溝部１３５を形成するようにしてもよい。
【０１３６】
［第９実施形態］
次に、第９実施形態に係るテープカセット１４１について図２４乃至図２９に基づいて説明する。尚、以下の説明において上記図１乃至図７の第１実施形態に係るテープカセット２１及びテープ印刷装置１の構成等と同一符号は、該第１実施形態に係るテープカセット２１及びテープ印刷装置１等の構成等と同一あるいは相当部分を示すものである。
【０１３７】
図２４は第９実施形態に係るテープカセット１４１をテープ印刷装置１のカセット収納部８に装着した状態でテープカセット１４１の上ケース２３を取り外した場合の要部拡大平面図である。図２５は図２４のテープ排出口の周囲を拡大した要部拡大図である。図２６は図２５のテープ排出口２７のＸ９矢視図である。図２７はレセプターテープの構成を示す側面図である。図２８は透明テープの構成を示す側面図である。図２９はセパレータが剥離されたレセプターテープに透明テープが圧着される状態を示す図である。
【０１３８】
第９実施形態に係るテープカセット１４１の概略構成は、第１実施形態に係るテープカセット２１とほぼ同じ構成である。
但し、図２４に示すように、テープスプール５４は、透明なフィルムテープ５１に替えて、レセプターテープ１４２が剥離紙やフィルム等から形成されるセパレータ１４３Ｃ（図２７参照）を外側に向けて巻回されて装着されている。また、粘着テープスプール５６に替えて、一面側に粘着面が形成された透明テープ１４３が粘着面を内側に向けて巻回された透明テープスプール１４５がカセットボス６０に回転可能に嵌挿されている。
【０１３９】
また、図２７に示すように、セパレータ１４２Ｃを外側にしてテープスプール５４に巻回されたレセプターテープ１４２は、３層構造に形成されている。このレセプターテープ１４２の各層は、図２７中上側から下側方向に向かって、インクリボン５２とサーマルヘッド９を介して一面側（図２７中、上側の面である。）に印刷される透明又は色付きのフィルムテープ１４２Ａ、商品等の貼り付け対象に貼り付けるための粘着層１４２Ｂ、この粘着層１４２Ｂの貼り付け側を覆うセパレータ１４２Ｃの順序で積層されて構成されている。
【０１４０】
また、図２８に示すように、透明テープスプール１４５に粘着面を内側に向けて巻回される透明テープ１４３は、２層構造に形成されている。この透明テープ１４３は、図２８中上側から下側方向に向かって、透明フィルムテープ１４３Ａ、後述のようにレセプターテープ１４２の印刷面に貼り付けるための粘着層１４３Ｂの順序で積層されて構成されている。
【０１４１】
また、図２５及び図２６に示すように、接触コロ６５は、テープ送りローラ６３のテープ搬送方向下流側、つまり、テープ排出口２７側に離間して、該テープ送りローラ６３とテープサブローラ１１との共通接線よりもテープサブローラ１１側で、この共通接線に外周面がほぼ接するように配置され、両端の各支持軸６５Ｂが、上記各支持孔４８に替えて各支持孔１４６に回転可能に嵌挿されている。また、接触コロ６５は、テープ送りローラ６３に対向する側壁部２４Ｂよりもテープ搬送方向外側に突出するように設けられている。
【０１４２】
また、接触コロ６５に対して印刷済みテープ１４７を挟んで対向する案内壁１４８は、側壁部２４Ｂのテープ排出口２７側端縁部から平面視略Ｌ字形に形成されると共に、接触コロ６５に対向する壁面部は、この接触コロ６５よりもテープ搬送方向下流側へ突出するように形成されて、印刷済みテープ１４７を固定刃３０Ａの近傍位置まで案内可能となるように設けられている。
【０１４３】
また、テープスプール５４と透明テープスプール１４５との間の下ケース２４の側壁部２４Ａ側に配設されたセパレータ巻き取りスプール６２には、テープスプール５４に巻回されたレセプターテープ１４２の最外周から剥離されたセパレータ１４２Ｃの先端部が接着テープ等によって固着されて、この剥離されたセパレータ１４２Ｃが、巻回されたレセプターテープ１４２の最外周とセパレータ巻き取りスプール６２の外周面との共通接線上に位置するように巻回されている。
【０１４４】
そして、このセパレータ巻き取りスプール６２は、セパレータ巻取軸１６の回転駆動によって、テープ送りローラ６３と同期して回転し、テープスプール５４に巻回されたレセプターテープ１４２からセパレータ１４２Ｃを剥離しつつ巻き取る。
【０１４５】
つまり、図２４に示すように、テープ送りローラ６３とセパレータ巻き取りスプール６２とが同期して回転することによって、テープスプール５４に巻回されたレセプターテープ１４２の最外周のセパレータ１４２Ｃが剥離されてセパレータ巻き取りスプール６２に巻き取られる。また、レセプターテープ１４２からセパレータ１４２Ｃが剥離されたセパレータ無しレセプターテープ１５０は、テープ駆動ローラ軸１４によって回転駆動されるテープ送りローラ６３によって引き出される。
【０１４６】
また、図２４乃至図２６、図２９に示すように、透明テープスプール１４５に巻回された透明テープ１４３は、テープ送りローラ６３の外周面に沿って引き出されて、粘着層１４３Ｂがセパレータ無しレセプターテープ１５０の印刷面に重ねられた状態で、テープ送りローラ６３とテープサブローラ１１との間を通過し、圧着される。そして、この印刷面に粘着層１４３Ｂ、透明フィルムテープ１４３Ａが積層されたセパレータ無しレセプターテープ１５０は、つまり、セパレータ１４２Ｃが剥離された粘着剤付き印刷済みテープ１４７は、粘着層１４２Ｂに接触する接触コロ６５と、該接触コロ６５に対して印刷済みテープ１４７を挟んで対向する案内壁１４８とによって案内されて、テープ排出口２７からテープカセット１４１の外部に送り出される。
【０１４７】
そして、セパレータ１４２Ｃが剥離された粘着剤付き印刷済みテープ１４７は、カッタユニット３０を経てテープ印刷装置１のラベル排出口１７より外部に送り出される。そして、印刷済みテープ１４７を所定長さ搬送後、不図示の切断用モータを駆動して可動刃３０Ｂを作動させることによって、セパレータ１４２Ｃが剥離された所定長さの粘着剤付き印刷済みテープ１４７がラベル排出口１７より排出される。
【０１４８】
尚、図２４に示すように、下ケース２４に立設される各ガイドピン１５１Ａ〜１５１Ｃは、外周面にシリコーン樹脂皮膜が形成されている。
【０１４９】
従って、第９実施形態に係るテープカセット１４１では、印刷面の裏面に粘着層１４２Ｂが形成され、セパレータ１４２Ｃが貼り合わされたレセプターテープ１４２は、テープ送りローラ６３とテープサブローラ１１とによって、セパレータ１４２Ｃが剥離されたセパレータ無しレセプターテープ１５０の状態で引き出されて、インクリボン５２とサーマルヘッド９を介して印刷面に印刷され、この印刷面に透明テープ１４３が圧着されてテープ排出口２７から排出される。
【０１５０】
これにより、所定長さに切断された印刷済みテープ１４７を商品等に貼り付ける際に、セパレータ１４２Ｃを剥がす手間を省くことができる。また、印刷済みテープ１４７の印刷面に透明テープ１４３を貼着することが可能となり、印刷面の耐摩擦性や耐薬品性等を向上させることが可能となる。
【０１５１】
また、セパレータ１４２Ｃは、テープスプール５４に巻回されているレセプターテープ１４２の最外周から剥離されてセパレータ巻き取りスプール６２に巻き取られるため、剥離したセパレータ１４２Ｃをテープカセット１４１内に収納することが可能となり、ユーザはレセプターテープ１４２から剥離したセパレータ１４２Ｃを廃棄する手間を省くことができる。
【０１５２】
また、透明テープ１４３が印刷面に圧着されると共に、セパレータ１４２Ｃが剥離された印刷済みテープ１４７は、テープ排出口２７に回転可能に設けられて、この印刷済みテープ１４７の粘着層１４２Ｂに接触する接触コロ６５と案内壁１４８とに挟まれて搬送される。このため、印刷済みテープ１４７がテープ送りローラ６３側に撓んでテープ排出口２７で詰まることを防止して、当該印刷済みテープ１４７をテープ排出口２７から外部へスムーズに排出することが可能となる。
【０１５３】
また、接触コロ６５は、セパレータ無し印刷済みテープ１４７の粘着層１４２Ｂに接触する外周面が、軸方向に平行な複数の断面略三角形の凸状形状に形成されているため、接触コロ６５とセパレータ無し印刷済みテープ１４７の粘着層１４２Ｂとの接触面積を小さくすることが可能となる。これにより、接触コロ６５の外周面が、セパレータ無し印刷済みテープ１４７の粘着層１４２Ｂからスムーズに離れることが可能となり、印刷済みテープ１４７をテープ排出口２７から外部へスムーズに排出することができる。
【０１５４】
更に、セパレータ巻き取りスプール６２は、透明テープスプール１４５とテープスプール５４との間に配設されているため、テープ印刷装置１によるテープ印刷が行われることによってセパレータ巻き取りスプール６２に巻回可能なセパレータ１４２Ｃの最大巻回長さを容易に大きくすることができ、テープカセット１４１の小型化を図ることが可能となる。また、レセプターテープ１４２から剥離したセパレータ１４２Ｃを短い引き出し距離でセパレータ巻き取りスプール６２に巻回することが可能となり、テープカセット１４１の更なる小型化を図ることが可能となる。
【０１５５】
［第１０実施形態］
次に、第１０実施形態に係るテープカセット１６１について図３０及び図３１に基づいて説明する。尚、以下の説明において上記図１乃至図７の第１実施形態に係るテープカセット２１及びテープ印刷装置１の構成等と同一符号は、該第１実施形態に係るテープカセット２１及びテープ印刷装置１等の構成等と同一あるいは相当部分を示すものである。また、以下の説明において上記図２４乃至図２９の第９実施形態に係るテープカセット１４１の構成等と同一符号は、該第９実施形態に係るテープカセット１４１の構成等と同一あるいは相当部分を示すものである。
図３０は第１０実施形態に係るテープカセット１６１の一例を示す要部拡大図である。図３１は図３０のＸ１０矢視部分拡大図である。
【０１５６】
第１０実施形態に係るテープカセット１６１の概略構成は、第９実施形態に係るテープカセット１４１とほぼ同じ構成である。
但し、図３０及び図３１に示すように、接触コロ６５のテープ搬送方向上流側近傍位置に、案内部材の一例としての案内ピン１６２が設けられ、印刷済みテープ１４７の粘着層１４２Ｂに接触している。また、案内ピン１６２の外周面は、テープ送りローラ６３と接触コロ６５の共通接線にほぼ接するように設けられている。
【０１５７】
この案内ピン１６２は、印刷済みテープ１４７のテープ幅よりも長い断面円形の略円柱形状で、両端面中心位置に各支持軸１６２Ａが立設されている。また、この案内ピン１６２の外周面には、シリコーン樹脂皮膜が形成されている。また、テープカセット１６１の上ケース２３及び下ケース２４には、案内ピン１６２の各支持軸１６２Ａを回転可能に支持する各支持孔１６３が形成されている。そして、接触ピン１６２の各支持軸１６２Ａは、各支持孔１６３に挿入されて、回転可能に設けられている。
【０１５８】
従って、第１０実施形態に係るテープカセット１６１では、案内ピン１６２は、両端部が回転可能に支持されると共に、印刷済みテープ１４７の粘着層１４２Ｂの全幅に渡って接触する。
【０１５９】
これにより、第１０実施形態に係るテープカセット１６１では、第９実施形態に係るテープカセット１４１が奏する上記作用効果に加えて、案内ピン１６２によって印刷済みテープ１４７をテープカセット１６１の内側方向に押さえつつ案内することが可能となり、該印刷済みテープ１４７の外側方向への撓みを防止してスムーズに接触コロ６５へ案内することが可能となる。
【０１６０】
［第１１実施形態］
次に、第１１実施形態に係るテープカセット１７２について図３２乃至図３７に基づいて説明する。尚、以下の説明において上記図１乃至図７の第１実施形態に係るテープカセット２１及びテープ印刷装置１の構成等と同一符号は、該第１実施形態に係るテープカセット２１及びテープ印刷装置１等の構成等と同一あるいは相当部分を示すものである。
【０１６１】
図３２は第１１実施形態に係るテープ印刷装置１７１のカセット収納部８に第１１実施形態に係るテープカセット１７２を装着する状態を示す要部拡大斜視図である。図３３は第１１実施形態に係るテープカセット１７２をテープ印刷装置１７１のカセット収納部８に装着した状態でテープカセット１７２の上ケース２３を取り外した場合の要部拡大平面図である。図３４は図３３のテープ排出口の周囲を拡大した要部拡大図である。図３５は図３４のテープ排出口２７のＸ１１矢視図である。図３６はレセプターテープの構成を示す側面図である。図３７はレセプターテープの引き出される状態を示す図である。
【０１６２】
第１１実施形態に係るテープ印刷装置１７１の概略構成は、第１実施形態に係るテープ印刷装置１とほぼ同じ構成である。また、第１１実施形態に係るテープカセット１７２の概略構成は、第１実施形態に係るテープカセット２１とほぼ同じ構成である。
但し、図３２及び図３３に示すように、テープカセット１７２は、粘着テープスプール５６に替えて、レセプターテープ１７３が剥離紙やフィルム等から形成されるセパレータ１７３Ｃ（図３６参照）を外側に向けて巻回されたテープスプール１７５がカセットボス６０に回転可能に嵌挿されている。また、テープスプール１７５は支持孔４２によって回転可能に支持されている。
【０１６３】
ここで、図３６に示すように、セパレータ１７３Ｃを外側にしてテープスプール１７５に巻回されたレセプターテープ１７３は、３層構造に形成されている。このレセプターテープ１７３の各層は、図３６中上側から下側方向に向かって、インクリボン５２とサーマルヘッド９を介して一面側（図３６中、上側の面である。）に印刷される透明又は色付きのフィルムテープ１７３Ａ、商品等の貼り付け対象に貼り付けるための粘着層１７３Ｂ、この粘着層１７３Ｂの貼り付け側を覆うセパレータ１７３Ｃの順序で積層されて構成されている。
【０１６４】
また、図３２及び図３３に示すように、テープカセット１７２は、テープスプール５４及びカセットボス５８に替えて、これらの位置にセパレータ巻き取りスプール６２が設けられ、該セパレータ巻き取りスプール６２は支持孔４１によって回転可能に支持されている。また、セパレータ巻き取りスプール６２の下部にはクラッチバネ６６が取り付けられている。このクラッチバネ６６はセパレータ巻き取りスプール６２が逆転して巻き取ったセパレータ１７３Ｃが緩んでしまうことを防止するものである。
【０１６５】
従って、テープ印刷装置１７１のカセット収納部８では、セパレータ巻取軸１６がリボン巻取軸１５よりも外側（図３２中、下側である。）に配設されている。また、テープカセット１７２には、支持孔４４は設けられていない。
【０１６６】
また、図３４及び図３５に示すように、接触コロ６５は、テープ送りローラ６３のテープ搬送方向下流側、つまり、テープ排出口２７側に離間して、該テープ送りローラ６３とテープサブローラ１１との共通接線よりもテープサブローラ１１側で、この共通接線に外周面がほぼ接するように配置され、両端の各支持軸６５Ｂが、上記各支持孔４８に替えて各支持孔１７６に回転可能に嵌挿されている。また、接触コロ６５は、テープ送りローラ６３に対向する側壁部２４Ｂよりもテープ搬送方向外側に突出するように設けられている。
【０１６７】
また、接触コロ６５に対して印刷済みテープ１７７を挟んで対向する案内壁１７８は、側壁部２４Ｂのテープ排出口２７側端縁部から平面視略Ｌ字形に形成されると共に、接触コロ６５に対向する壁面部は、この接触コロ６５よりもテープ搬送方向下流側へ突出するように形成されて、印刷済みテープ１７７を固定刃３０Ａの近傍位置まで案内可能となるように設けられている。
【０１６８】
また、セパレータ巻き取りスプール６２には、テープスプール１７５に巻回されたレセプターテープ１７３の最外周から剥離されたセパレータ１７３Ｃの先端部が接着テープ等によって固着されて、この剥離されたセパレータ１７３Ｃが、巻回されたレセプターテープ１７３の最外周とセパレータ巻き取りスプール６２の外周面との共通接線上に位置するように巻回されている。
【０１６９】
そして、このセパレータ巻き取りスプール６２は、セパレータ巻取軸１６の回転駆動によって、テープ送りローラ６３と同期して回転し、テープスプール１７５に巻回されたレセプターテープ１７３からセパレータ１７３Ｃを剥離しつつ巻き取る。
【０１７０】
つまり、図３３乃至図３５、図３７に示すように、テープ送りローラ６３とセパレータ巻き取りスプール６２とが同期して回転することによって、テープスプール１７５に巻回されたレセプターテープ１７３の最外周のセパレータ１７３Ｃが剥離されてセパレータ巻き取りスプール６２に巻き取られる。また、レセプターテープ１７３からセパレータ１７３Ｃが剥離されたセパレータ無しレセプターテープ１８０は、テープ駆動ローラ軸１４によって回転駆動されるテープ送りローラ６３によって引き出される。
【０１７１】
そして、セパレータ無しレセプターテープ１８０は、開口部２２に入り、サーマルヘッド９及びプラテンローラ１０の間を通過してフィルムテープ１７３Ａの印刷面に印刷される。そして、フィルムテープ１７３Ａの印刷面に印刷されたセパレータ無しレセプターテープ１８０は、つまり、セパレータ１７３Ｃが剥離された粘着剤付き印刷済みテープ１７７は、粘着層１７３Ｂに接触する接触コロ６５と、該接触コロ６５に対して印刷済みテープ１７７を挟んで対向する案内壁１７８とによって案内されて、テープ排出口２７からテープカセット１７２の外部に送り出される。
【０１７２】
そして、セパレータ１７３Ｃが剥離された粘着剤付き印刷済みテープ１７７は、カッタユニット３０を経てテープ印刷装置１７１のラベル排出口１７より外部に送り出される。そして、印刷済みテープ１７７を所定長さ搬送後、不図示の切断用モータを駆動して可動刃３０Ｂを作動させることによって、セパレータ１７３Ｃが剥離された所定長さの粘着剤付き印刷済みテープ１７７がラベル排出口１７より排出される。
【０１７３】
尚、図３３に示すように、下ケース２４に立設される各ガイドピン１８１Ａ、１８１Ｂは、外周面にシリコーン樹脂皮膜が形成されている。
【０１７４】
従って、第１１実施形態に係るテープカセット１７１では、印刷面の裏面に粘着層１７３Ｂが形成され、セパレータ１７３Ｃが貼り合わされたレセプターテープ１７３は、テープ送りローラ６３とテープサブローラ１１とによって、テープスプール１７５からセパレータ１７３Ｃが剥離された状態で引き出されて、インクリボン５２とサーマルヘッド９を介して印刷面に印刷され、テープ排出口２７から排出される。これにより、所定長さに切断された印刷済みテープ１７７を商品等に貼り付ける際に、セパレータ１７３Ｃを剥がす手間を省くことができる。
【０１７５】
また、セパレータ１７３Ｃは、テープスプール１７５に巻回されているレセプターテープ１７３の最外周から剥離されてセパレータ巻き取りスプール６２に巻き取られるため、剥離したセパレータ１７３Ｃをテープカセット１７２内に収納することが可能となり、ユーザはレセプターテープ１７３から剥離したセパレータ１７３Ｃを廃棄する手間を省くことができる。
【０１７６】
また、セパレータ１７３Ｃが剥離された印刷済みテープ１７７は、テープ排出口２７に回転可能に設けられて、この印刷済みテープ１７７の粘着層１７３Ｂに接触する接触コロ６５と案内壁１７８とに挟まれて搬送される。このため、印刷済みテープ１７７がテープ送りローラ６３側に撓んでテープ排出口２７で詰まることを防止して、当該印刷済みテープ１７７をテープ排出口２７から外部へスムーズに排出することが可能となる。
【０１７７】
また、接触コロ６５は、セパレータ無し印刷済みテープ１７７の粘着層１７３Ｂに接触する外周面が、軸方向に平行な複数の断面略三角形の凸状形状に形成されているため、接触コロ６５とセパレータ無し印刷済みテープ１７７の粘着層１７３Ｂとの接触面積を小さくすることが可能となる。これにより、接触コロ６５の外周面が、セパレータ無し印刷済みテープ１７７の粘着層１７３Ｂからスムーズに離れることが可能となり、印刷済みテープ１７７をテープ排出口２７から外部へスムーズに排出することができる。
【０１７８】
更に、セパレータ巻き取りスプール６２は、テープスプール５４の配置されていた位置に配設されるため、テープ印刷装置１によるテープ印刷が行われることによってセパレータ巻き取りスプール６２に巻回可能なセパレータ１７３Ｃの最大巻回長さを容易に大きくすることができ、テープカセット１７２の小型化を図ることが可能となる。また、セパレータ巻き取りスプール６２をテープスプール５４の配置されていた位置に配設することによって、テープカセット１７２内の隙間空間を有効に活用することができ、テープカセット１７２の更なる小型化を図ることが可能となる。
【０１７９】
［第１２実施形態］
次に、第１２実施形態に係るテープカセット１９１について図３８及び図３９に基づいて説明する。尚、以下の説明において上記図１乃至図７の第１実施形態に係るテープカセット２１及びテープ印刷装置１の構成等と同一符号は、該第１実施形態に係るテープカセット２１及びテープ印刷装置１等の構成等と同一あるいは相当部分を示すものである。また、以下の説明において上記図３２乃至図３７の第１１実施形態に係るテープカセット１７２の構成等と同一符号は、該第１１実施形態に係るテープカセット１７２の構成等と同一あるいは相当部分を示すものである。
図３８は第１２実施形態に係るテープカセット１９１の一例を示す要部拡大図である。図３９は図３８のＸ１２矢視部分拡大図である。
【０１８０】
第１２実施形態に係るテープカセット１９１の概略構成は、第１１実施形態に係るテープカセット１７２とほぼ同じ構成である。
但し、図３８及び図３９に示すように、接触コロ６５のテープ搬送方向上流側近傍位置に、案内部材の一例としての案内ピン１９２が設けられ、印刷済みテープ１７７の粘着層１７３Ｂに接触している。また、案内ピン１９２の外周面は、テープ送りローラ６３と接触コロ６５の共通接線にほぼ接するように設けられている。
【０１８１】
この案内ピン１９２は、印刷済みテープ１７７のテープ幅よりも長い断面円形の略円柱形状で、両端面中心位置に各支持軸１９２Ａが立設されている。また、この案内ピン１９２の外周面には、シリコーン樹脂皮膜が形成されている。また、テープカセット１９１の上ケース２３及び下ケース２４には、案内ピン１９２の各支持軸１９２Ａを回転可能に支持する各支持孔１９３が形成されている。そして、接触ピン１９２の各支持軸１９２Ａは、各支持孔１９３に挿入されて、回転可能に設けられている。
【０１８２】
従って、第１２実施形態に係るテープカセット１９１では、案内ピン１９２は、両端部が回転可能に支持されると共に、印刷済みテープ１７７の粘着層１７３Ｂの全幅に渡って接触する。
【０１８３】
これにより、第１２実施形態に係るテープカセット１９１では、第１１実施形態に係るテープカセット１７２が奏する上記作用効果に加えて、案内ピン１９２によって印刷済みテープ１７７をテープカセット１９１の内側方向に押さえつつ案内することが可能となり、該印刷済みテープ１７７の外側方向への撓みを防止してスムーズに接触コロ６５へ案内することが可能となる。
【０１８４】
尚、本発明は前記第１実施形態乃至第１２実施形態に限定されることはなく、本発明の要旨を逸脱しない範囲内で種々の改良、変形が可能であることは勿論である。
【図面の簡単な説明】
【０１８５】
【図１】第１実施形態に係るテープ印刷装置の平面図である。
【図２】テープ印刷装置の右側面図である。
【図３】テープ印刷装置のカセット収納部にテープカセットを装着する状態を示す要部拡大斜視図である。
【図４】テープ印刷装置のカセット収納部にテープカセットを装着した状態でテープカセットの上ケースを取り外した場合の要部拡大平面図である。
【図５】図４のテープ排出口の周囲を拡大した要部拡大図である。
【図６】図５のテープ排出口のＸ１矢視図である。
【図７】両面粘着テープをフィルムテープへ圧着後、セパレータが剥離される状態を模式的に示す図である。
【図８】第２実施形態に係るテープカセットの一例を示す要部拡大図である。
【図９】図８のＸ２矢視部分拡大図である。
【図１０】第３実施形態に係るテープカセットの一例を示す要部拡大図である。
【図１１】図１０のＸ３矢視部分拡大図である。
【図１２】第４実施形態に係るテープカセットの一例を示す要部拡大図である。
【図１３】図１２のＸ４矢視部分拡大図である。
【図１４】両面粘着テープをフィルムテープへ圧着後、セパレータが剥離される状態を模式的に示す図である。
【図１５】第５実施形態に係るテープカセットの一例を示す要部拡大図である。
【図１６】図１５のＸ５矢視部分拡大図である。
【図１７】第６実施形態に係るテープカセットの上ケースを取り外した場合の平面図である。
【図１８】セパレータ無し両面粘着テープがフィルムテープへ圧着される状態を模式的に示す図である。
【図１９】第７実施形態に係るテープカセットの一例を示す要部拡大図である。
【図２０】図１９のＸ６矢視部分拡大図である。
【図２１】第８実施形態に係るテープカセットの一例を示す要部拡大図である。
【図２２】図２１のＸ７矢視部分拡大図である。
【図２３】図２１のＸ８矢視部分拡大図である。
【図２４】第９実施形態に係るテープカセットをテープ印刷装置のカセット収納部に装着した状態でテープカセットの上ケースを取り外した場合の要部拡大平面図である。
【図２５】図２４のテープ排出口の周囲を拡大した要部拡大図である。
【図２６】図２５のテープ排出口のＸ９矢視図である。
【図２７】レセプターテープの構成を示す側面図である。
【図２８】透明テープの構成を示す側面図である。
【図２９】セパレータが剥離されたレセプターテープに透明テープが圧着される状態を示す図である。
【図３０】第１０実施形態に係るテープカセットの一例を示す要部拡大図である。
【図３１】図３０のＸ１０矢視部分拡大図である。
【図３２】第１１実施形態に係るテープ印刷装置のカセット収納部に第１１実施形態に係るテープカセットを装着する状態を示す要部拡大斜視図である。
【図３３】第１１実施形態に係るテープカセットをテープ印刷装置のカセット収納部に装着した状態でテープカセットの上ケースを取り外した場合の要部拡大平面図である。
【図３４】図３３のテープ排出口の周囲を拡大した要部拡大図である。
【図３５】図３４のテープ排出口のＸ１１矢視図である。
【図３６】レセプターテープの構成を示す側面図である。
【図３７】レセプターテープの引き出される状態を示す図である。
【図３８】第１２実施形態に係るテープカセットの一例を示す要部拡大図である。
【図３９】図３８のＸ１２矢視部分拡大図である。
【符号の説明】
【０１８６】
２１、７１、８１、９１、１０１、１１１、１２１、１３１      テープカセット
１４１、１６１、１７２、１９１      テープカセット
２７      テープ排出口
２８、１４７、１７７      印刷済みテープ
３３、１４８、１７８      案内壁
５１，１４２Ａ、１７３Ａ、      フィルムテープ
５２      インクリボン
５３      両面粘着テープ
５３Ａ、５３Ｃ、１４２Ｂ、１７３Ｂ      粘着層
５３Ｂ    ベースフィルム
５３Ｄ、１４２Ｃ、１７３Ｃ    セパレータ
５４、１４５、１７５      テープスプール
５５      リボンスプール
５６      両面粘着スプール
６１      リボン巻き取りスプール
６２      セパレータ巻き取りスプール
６３、１３２      テープ送りローラ
６５、１３３      接触コロ
７２      剥離ピン
８２、１０２      予備剥離ピン
９２、１２２      接触ピン
１４２、１７３    レセプターテープ
１４３      透明テープ
１４５      透明テープスプール
１６２、１９２    案内ピン
【図１】
2010099886.tif 000003
【図２】
2010099886.tif 000004
【図３】
2010099886.tif 000005
【図４】
2010099886.tif 000006
【図５】
2010099886.tif 000007
【図６】
2010099886.tif 000008
【図７】
2010099886.tif 000009
【図８】
2010099886.tif 000010
【図９】
2010099886.tif 000011
【図１０】
2010099886.tif 000012
【図１１】
2010099886.tif 000013
【図１２】
2010099886.tif 000014
【図１３】
2010099886.tif 000015
【図１４】
2010099886.tif 000016
【図１５】
2010099886.tif 000017
【図１６】
2010099886.tif 000018
【図１７】
2010099886.tif 000019
【図１８】
2010099886.tif 000020
【図１９】
2010099886.tif 000021
【図２０】
2010099886.tif 000022
【図２１】
2010099886.tif 000023
【図２２】
2010099886.tif 000024
【図２３】
2010099886.tif 000025
【図２４】
2010099886.tif 000026
【図２５】
2010099886.tif 000027
【図２６】
2010099886.tif 000028
【図２７】
2010099886.tif 000029
【図２８】
2010099886.tif 000030
【図２９】
2010099886.tif 000031
【図３０】
2010099886.tif 000032
【図３１】
2010099886.tif 000033
【図３２】
2010099886.tif 000034
【図３３】
2010099886.tif 000035
【図３４】
2010099886.tif 000036
【図３５】
2010099886.tif 000037
【図３６】
2010099886.tif 000038
【図３７】
2010099886.tif 000039
【図３８】
2010099886.tif 000040
【図３９】
2010099886.tif 000041